(57)【要約】【課題】複数種類の原稿サイズが混在する原稿を送信する際、相手側装置の能力が当該原稿サイズに対応可能な場合に、原稿サイズの変化に伴う制御設定変更のための通信を行わず相手側装置との通信時間を低減する。【解決手段】複数種類の原稿サイズの原稿が読み取られたとき、相手側装置で記録可能な用紙サイズが、読み取られた原稿のうち最も大きい原稿サイズである最大サイズ以上である場合に、複数の原稿の画像データのうち、最大サイズより小さい原稿サイズに応じた画像サイズの複数の小画像データを最大サイズに合わせて結合して結合画像データを生成し、画像データのうち結合されない画像データを最大サイズで相手側装置へ送信し、結合画像データを相手側装置へ送信する。【選択図】図３（Ｂ）
2011139234.tif 000002
【特許請求の範囲】
【請求項１】
原稿の画像を読み取る読取手段と、
前記読取手段により読み取られた原稿の画像について、原稿サイズに応じた画像サイズの画像データを生成する画像生成手段と、
を備えた画像通信装置であって、
相手側装置で記録可能な用紙サイズを取得するサイズ取得手段と、
前記読取手段により複数種類の原稿サイズの原稿が読み取られた場合、前記読取手段により読み取られた原稿のうち、最も大きい原稿サイズを最大サイズとして取得する最大サイズ取得手段と、
前記サイズ取得手段により取得された用紙サイズが、前記最大サイズ取得手段により取得された最大サイズ以上か否かを判断するサイズ判断手段と、
前記サイズ判断手段により、前記サイズ取得手段により取得された用紙サイズが前記最大サイズ取得手段により取得された最大サイズ以上と判断された場合、前記画像生成手段により生成された画像データのうち、前記最大サイズより小さい原稿サイズに応じた画像サイズの複数の小画像データを前記最大サイズに合わせて結合して結合画像データを生成する結合画像生成手段と、
前記画像生成手段により生成された画像データのうち前記結合画像データとして結合されない画像データを前記最大サイズで前記相手側装置へ送信する第１送信手段と、
前記結合画像生成手段により生成された結合画像データを前記相手側装置へ送信する第２送信手段と、
を備えたことを特徴とする画像通信装置。
【請求項２】
前記結合画像生成手段は、前記最大サイズより小さい原稿サイズが最大サイズの半分以下である場合に、当該原稿サイズに応じた画像サイズの複数の小画像データを前記最大サイズに合わせて結合して結合画像データを生成することを特徴とする請求項１に記載の画像通信装置。
【請求項３】
前記小画像データを検出する小画像検出手段を備え、
前記結合画像生成手段は、前記小画像検出手段により前記小画像データが検出された場合、当該小画像データと、前記画像生成手段により当該小画像データが生成された後に生成される画像データのうち前記小画像検出手段により検出された小画像データと、を前記最大サイズに合わせて結合して結合画像データを生成することを特徴とする請求項１または２に記載の画像通信装置。
【請求項４】
前記結合画像生成手段は、前記第１送信手段により前記画像データが送信されている間に、複数の前記小画像データを前記最大サイズに合わせて結合して結合画像データを生成し、
前記第２送信手段は、前記第１送信手段により前記画像データの送信が完了された場合に、前記結合画像生成手段により生成された結合画像データを前記相手側装置へ送信することを特徴とする請求項１〜３のいずれかに記載の画像通信装置。
【請求項５】
前記画像生成手段により生成された複数の画像データ各々に対して、送信元電話番号等の送信元を表す送信元情報、相手側装置電話番号等の送信先を表す送信先情報、送信日時情報のうち少なくとも１つを発信者情報として付加する付加手段をさらに備えたことを特徴とする請求項１〜４のいずれかに記載の画像通信装置。
【請求項６】
前記付加手段は、前記原稿の読み取り順に付した番号を前記画像データに付加することを特徴とする請求項５に記載の画像通信装置。
【請求項７】
前記結合画像生成手段は、２つの前記小画像データを結合して前記結合画像データを生成し、
前記２つの小画像データのうち、一方を時計方向に９０度回転し、他方を反時計方向に９０度回転する回転手段を備え、
前記回転手段により回転された２つの小画像データのうち、一方を前記結合画像データの先行部分に配置し、他方を前記結合画像データの後続部分に配置して結合することを特徴とする請求項１〜６のいずれかに記載の画像通信装置。
【請求項８】
前記結合画像生成手段は、前記結合画像データとして結合された小画像データ間に境界を示す境界線を付加する境界線付加手段を備えたことを特徴とする請求項１〜７のいずれかに記載の画像通信装置。
【請求項９】
前記読取手段は、複数枚の両面原稿各々の画像を読み取り、
前記画像生成手段は、前記読取手段により読み取られた両面原稿の表面の画像及び裏面の画像について、前記両面原稿の原稿サイズに応じた画像サイズの表面の画像データと裏面の画像データとをそれぞれ生成し、
前記サイズ取得手段は、前記相手側装置で両面記録が可能であるか否かを示す情報を取得し、
前記結合画像生成手段は、前記サイズ取得手段により前記相手側装置で両面記録が可能であることを示す情報が取得された場合、２枚の両面原稿に対応する前記小画像データについて、２つの表面の小画像データを結合して生成される表面結合画像データと、２つの裏面の小画像データを結合して生成される裏面結合画像データとからなる両面結合画像データを生成し、
前記回転手段は、前記２つの表面の小画像データ及び前記２つの裏面の小画像データについて、各面の２つの小画像データのうちの一方を時計方向に９０度回転し、他方を反時計方向に９０度回転し、
前記回転手段により前記反時計方向に９０度回転された表面の小画像データを前記表面結合画像データの先行部分に配置し、前記時計方向に９０度回転された表面の小画像データを前記表面結合画像データの後続部分に配置して結合し、前記時計方向に９０度回転された裏面の小画像データを前記裏面結合画像データの先行部分に配置し、前記反時計方向に９０度回転された裏面の小画像データを前記裏面結合画像データの後続部分に配置して結合して前記両面結合画像データを生成し、
前記第１送信手段は、前記画像生成手段により生成された画像データのうち前記両面結合画像データとして結合されない画像データを前記最大サイズで前記相手側装置へ送信し、
前記第２送信手段は、前記結合画像生成手段により生成された前記両面結合画像データを前記相手側装置へ送信することを特徴とする請求項７に記載の画像通信装置。
【請求項１０】
前記結合画像生成手段は、前記画像生成手段により生成された画像データのうち、複数の前記小画像データが、前記画像生成手段により生成された順に連続している場合、複数の当該小画像データを前記最大サイズに合わせて結合して結合画像データを生成することを特徴とする請求項１〜９のいずれかに記載の画像通信装置。
【請求項１１】
前記最大サイズ取得手段は、前記画像生成手段により生成された画像データの画像サイズのうち、最も大きい画像サイズに応じた原稿サイズを最大サイズとして取得することを特徴とする請求項１〜１０のいずれかに記載の画像通信装置。
【請求項１２】
画像データを相手側装置へ送信可能な画像通信装置における画像通信方法であって、
原稿の画像を読み取る読取ステップと、
前記読取ステップにより読み取られた原稿の画像について、原稿サイズに応じた画像サイズの画像データを生成する画像生成ステップと、
前記読取ステップにより複数種類の原稿サイズの原稿が読み取られた場合、前記読取ステップにより読み取られた原稿のうち、最も大きい原稿サイズを最大サイズとして取得する最大サイズ取得ステップと、
相手側装置で記録可能な用紙サイズを取得するサイズ取得ステップと、
前記サイズ取得手段により取得された用紙サイズが、前記最大サイズ取得手段により取得された最大サイズ以上か否かを判断するサイズ判断ステップと、
前記画像生成ステップにより生成された画像データの画像サイズが前記最大サイズの半分以下の原稿サイズに応じた小画像サイズであるか否かを判断する小画像判断ステップと、
前記サイズ判断ステップにより、前記サイズ取得ステップにより取得された用紙サイズが前記最大サイズ取得ステップにより取得された最大サイズ以上と判断された場合、前記画像生成ステップにより生成された画像データのうち、前記小画像判断ステップにより前記最大サイズの半分より大きい原稿サイズに応じた画像サイズと判断された画像データを前記最大サイズで前記相手側装置へ送信する第１送信ステップと、
前記画像生成ステップにより生成された画像データのうち、前記小画像判断ステップにより前記小画像サイズと判断された画像データと、当該小画像サイズと判断された画像データの生成後に前記画像生成ステップにより生成される画像データのうち、前記小画像判断ステップにより前記小画像サイズと判断された画像データとを、前記第１送信ステップにより前記画像データが送信されている間に、前記最大サイズに合わせて結合して結合画像データを生成する結合画像生成ステップと、
前記サイズ判断ステップにより、前記サイズ取得ステップにより取得された用紙サイズが前記最大サイズ取得ステップにより取得された最大サイズ以上と判断された場合、前記第１送信ステップにより前記画像データの送信が完了されたときに、前記結合画像生成ステップにより生成された結合画像データを前記相手側装置へ送信する第２送信ステップと、
を備えたことを特徴とする画像通信方法。
【請求項１３】
原稿の画像を読み取る読取手段と、
前記読取手段により読み取られた原稿の画像について、原稿サイズに応じた画像サイズの画像データを生成する画像生成手段と、
を備える画像通信装置のコンピュータが実行可能な画像通信プログラムであって、
前記コンピュータに、
前記読取手段により複数種類の原稿サイズの原稿が読み取られた場合、前記読取手段により読み取られた原稿のうち、最も大きい原稿サイズを最大サイズとして取得する最大サイズ取得手段と、
相手側装置で記録可能な用紙サイズを取得するサイズ取得手段と、
前記サイズ取得手段により取得された用紙サイズが、前記最大サイズ取得手段により取得された最大サイズ以上か否かを判断するサイズ判断手段と、
前記画像生成手段により生成された画像データの画像サイズが前記最大サイズの半分以下の原稿サイズに応じた小画像サイズであるか否かを判断する小画像判断手段と、
前記サイズ判断手段により、前記サイズ取得手段により取得された用紙サイズが前記最大サイズ取得手段により取得された最大サイズ以上と判断された場合、前記画像生成手段により生成された画像データのうち、前記小画像判断手段により前記最大サイズの半分より大きい原稿サイズに応じた画像サイズと判断された画像データを前記最大サイズで前記相手側装置へ送信する第１送信手段と、
前記画像生成手段により生成された画像データのうち、前記小画像判断手段により前記小画像サイズと判断された画像データと、当該小画像サイズと判断された画像データの生成後に前記画像生成手段により生成される画像データのうち、前記小画像判断手段により前記小画像サイズと判断された画像データとを、前記第１送信手段により前記画像データが送信されている間に、前記最大サイズに合わせて結合して結合画像データを生成する結合画像生成手段と、
前記サイズ判断手段により、前記サイズ取得手段により取得された用紙サイズが前記最大サイズ取得手段により取得された最大サイズ以上と判断された場合、前記第１送信手段により前記画像データの送信が完了されたときに、前記結合画像生成手段により生成された結合画像データを前記相手側装置へ送信する第２送信手段と、
を実行させることを特徴とする画像通信プログラム。
【発明の詳細な説明】
【技術分野】
【０００１】
本発明は、複数種類の原稿サイズが混在する原稿の画像データを送信可能な画像通信装置、画像通信方法及びその画像通信装置のコンピュータにより実行可能な画像通信プログラムに関する。
【背景技術】
【０００２】
従来、原稿の画像を読み取り、その読み取った画像に応じた画像データを生成して相手側装置へ送信するファクシミリが知られている。
【０００３】
特許文献１に記載のファクシミリは、受信側ファクシミリの能力を確認してセットアップするプリメッセージ手続に際して、その受信側ファクシミリの能力情報を貯蔵しておき、原稿送信中に、送信する原稿の解像度や用紙サイズ等の変化による制御設定の変更が要求されるときに、貯蔵した能力情報を確認する。そして、特許文献１に記載のファクシミリは、要求される能力に受信側ファクシミリが対応できると判断された場合、プリメッセージ手続を再実行し、一方、要求される能力に受信側ファクシミリが対応できないと判断された場合、プリメッセージ手続を再実行することなく原稿送信を続ける。
【先行技術文献】
【特許文献】
【０００４】
【特許文献１】特開平１０−１６４３３５号公報
【発明の概要】
【発明が解決しようとする課題】
【０００５】
しかしながら、特許文献１に記載のファクシミリは、原稿送信中に、送信する原稿の解像度や用紙サイズ等の変化による制御設定の変更要求に際して、要求される能力に受信側ファクシミリが対応できる場合、制御設定の変更が要求されるたびにプリメッセージ手続を再実行するため、受信側ファクシミリとの通信時間が長くなる虞がある。
【０００６】
本発明は、上述した問題点を解決するためになされたものであり、少なくとも２種類以上の原稿サイズが混在する原稿を送信する際、相手側装置の能力が当該原稿サイズに対応可能な場合に、原稿サイズの変化に伴う制御設定の変更のための通信を行うことなく相手側装置との通信時間を低減することができる画像通信装置、画像通信方法及びその画像通信装置のコンピュータにより実行可能な画像通信プログラムを提供することを目的とする。
【課題を解決するための手段】
【０００７】
前記目的を達成するために、請求項１に記載の画像通信装置は、原稿の画像を読み取る読取手段と、前記読取手段により読み取られた原稿の画像について、原稿サイズに応じた画像サイズの画像データを生成する画像生成手段と、を備えた画像通信装置であって、相手側装置で記録可能な用紙サイズを取得するサイズ取得手段と、前記読取手段により複数種類の原稿サイズの原稿が読み取られた場合、前記読取手段により読み取られた原稿のうち、最も大きい原稿サイズを最大サイズとして取得する最大サイズ取得手段と、前記サイズ取得手段により取得された用紙サイズが、前記最大サイズ取得手段により取得された最大サイズ以上か否かを判断するサイズ判断手段と、前記サイズ判断手段により、前記サイズ取得手段により取得された用紙サイズが前記最大サイズ取得手段により取得された最大サイズ以上と判断された場合、前記画像生成手段により生成された画像データのうち、前記最大サイズより小さい原稿サイズに応じた画像サイズの複数の小画像データを前記最大サイズに合わせて結合して結合画像データを生成する結合画像生成手段と、前記画像生成手段により生成された画像データのうち前記結合画像データとして結合されない画像データを前記最大サイズで前記相手側装置へ送信する第１送信手段と、前記結合画像生成手段により生成された結合画像データを前記相手側装置へ送信する第２送信手段と、を備えたことを特徴とする。
【０００８】
請求項２に記載の発明は、請求項１に記載の画像通信装置において、前記結合画像生成手段は、前記最大サイズより小さい原稿サイズが最大サイズの半分以下である場合に、当該原稿サイズに応じた画像サイズの複数の小画像データを前記最大サイズに合わせて結合して結合画像データを生成することを特徴とする。
【０００９】
請求項３に記載の発明は、請求項１または２に記載の画像通信装置において、前記小画像データを検出する小画像検出手段を備え、前記結合画像生成手段は、前記小画像検出手段により前記小画像データが検出された場合、当該小画像データと、前記画像生成手段により当該小画像データが生成された後に生成される画像データのうち前記小画像検出手段により検出された小画像データと、を前記最大サイズに合わせて結合して結合画像データを生成することを特徴とする。
【００１０】
請求項４に記載の発明は、請求項１〜３のいずれかに記載の画像通信装置において、前記結合画像生成手段は、前記第１送信手段により前記画像データが送信されている間に、複数の前記小画像データを前記最大サイズに合わせて結合して結合画像データを生成し、前記第２送信手段は、前記第１送信手段により前記画像データの送信が完了された場合に、前記結合画像生成手段により生成された結合画像データを前記相手側装置へ送信することを特徴とする。
【００１１】
請求項５に記載の発明は、請求項１〜４のいずれかに記載の画像通信装置において、前記画像生成手段により生成された複数の画像データ各々に対して、送信元電話番号等の送信元を表す送信元情報、相手側装置電話番号等の送信先を表す送信先情報、送信日時情報のうち少なくとも１つを発信者情報として付加する付加手段をさらに備えたことを特徴とする。
【００１２】
請求項６に記載の発明は、請求項５に記載の画像通信装置において、前記付加手段は、前記原稿の読み取り順に付した番号を前記画像データに付加することを特徴とする。
【００１３】
請求項７に記載の発明は、請求項１〜６のいずれかに記載の画像通信装置において、前記結合画像生成手段は、２つの前記小画像データを結合して前記結合画像データを生成し、前記２つの小画像データのうち、一方を時計方向に９０度回転し、他方を反時計方向に９０度回転する回転手段を備え、前記回転手段により回転された２つの小画像データのうち、一方を前記結合画像データの先行部分に配置し、他方を前記結合画像データの後続部分に配置して結合することを特徴とする。
【００１４】
請求項８に記載の発明は、請求項１〜７のいずれかに記載の画像通信装置において、前記結合画像生成手段は、前記結合画像データとして結合された小画像データ間に境界を示す境界線を付加する境界線付加手段を備えたことを特徴とする。
【００１５】
請求項９に記載の発明は、請求項７に記載の画像通信装置において、前記読取手段は、複数枚の両面原稿各々の画像を読み取り、前記画像生成手段は、前記読取手段により読み取られた両面原稿の表面の画像及び裏面の画像について、前記両面原稿の原稿サイズに応じた画像サイズの表面の画像データと裏面の画像データとをそれぞれ生成し、前記サイズ取得手段は、前記相手側装置で両面記録が可能であるか否かを示す情報を取得し、前記結合画像生成手段は、前記サイズ取得手段により前記相手側装置で両面記録が可能であることを示す情報が取得された場合、２枚の両面原稿に対応する前記小画像データについて、２つの表面の小画像データを結合して生成される表面結合画像データと、２つの裏面の小画像データを結合して生成される裏面結合画像データとからなる両面結合画像データを生成し、前記回転手段は、前記２つの表面の小画像データ及び前記２つの裏面の小画像データについて、各面の２つの小画像データのうちの一方を時計方向に９０度回転し、他方を反時計方向に９０度回転し、前記回転手段により前記反時計方向に９０度回転された表面の小画像データを前記表面結合画像データの先行部分に配置し、前記時計方向に９０度回転された表面の小画像データを前記表面結合画像データの後続部分に配置して結合し、前記時計方向に９０度回転された裏面の小画像データを前記裏面結合画像データの先行部分に配置し、前記反時計方向に９０度回転された裏面の小画像データを前記裏面結合画像データの後続部分に配置して結合して前記両面結合画像データを生成し、前記第１送信手段は、前記画像生成手段により生成された画像データのうち前記両面結合画像データとして結合されない画像データを前記最大サイズで前記相手側装置へ送信し、前記第２送信手段は、前記結合画像生成手段により生成された前記両面結合画像データを前記相手側装置へ送信することを特徴とする。
【００１６】
請求項１０に記載の発明は、請求項１〜９のいずれかに記載の画像通信装置において、前記結合画像生成手段は、前記画像生成手段により生成された画像データのうち、複数の前記小画像データが、前記画像生成手段により生成された順に連続している場合、複数の当該小画像データを前記最大サイズに合わせて結合して結合画像データを生成することを特徴とする。
【００１７】
請求項１１に記載の発明は、請求項１〜１０のいずれかに記載の画像通信装置において、前記最大サイズ取得手段は、前記画像生成手段により生成された画像データの画像サイズのうち、最も大きい画像サイズに応じた原稿サイズを最大サイズとして取得することを特徴とする。
【００１８】
請求項１２に記載の画像通信方法は、画像データを相手側装置へ送信可能な画像通信装置における画像通信方法であって、原稿の画像を読み取る読取ステップと、前記読取ステップにより読み取られた原稿の画像について、原稿サイズに応じた画像サイズの画像データを生成する画像生成ステップと、前記読取ステップにより複数種類の原稿サイズの原稿が読み取られた場合、前記読取ステップにより読み取られた原稿のうち、最も大きい原稿サイズを最大サイズとして取得する最大サイズ取得ステップと、相手側装置で記録可能な用紙サイズを取得するサイズ取得ステップと、前記サイズ取得手段により取得された用紙サイズが、前記最大サイズ取得手段により取得された最大サイズ以上か否かを判断するサイズ判断ステップと、前記画像生成ステップにより生成された画像データの画像サイズが前記最大サイズの半分以下の原稿サイズに応じた小画像サイズであるか否かを判断する小画像判断ステップと、前記サイズ判断ステップにより、前記サイズ取得ステップにより取得された用紙サイズが前記最大サイズ取得ステップにより取得された最大サイズ以上と判断された場合、前記画像生成ステップにより生成された画像データのうち、前記小画像判断ステップにより前記最大サイズの半分より大きい原稿サイズに応じた画像サイズと判断された画像データを前記最大サイズで前記相手側装置へ送信する第１送信ステップと、前記画像生成ステップにより生成された画像データのうち、前記小画像判断ステップにより前記小画像サイズと判断された画像データと、当該小画像サイズと判断された画像データの生成後に前記画像生成ステップにより生成される画像データのうち、前記小画像判断ステップにより前記小画像サイズと判断された画像データとを、前記第１送信ステップにより前記画像データが送信されている間に、前記最大サイズに合わせて結合して結合画像データを生成する結合画像生成ステップと、前記サイズ判断ステップにより、前記サイズ取得ステップにより取得された用紙サイズが前記最大サイズ取得ステップにより取得された最大サイズ以上と判断された場合、前記第１送信ステップにより前記画像データの送信が完了されたときに、前記結合画像生成ステップにより生成された結合画像データを前記相手側装置へ送信する第２送信ステップと、を備えたことを特徴とする。
【００１９】
請求項１３に記載の画像通信プログラムは、原稿の画像を読み取る読取手段と、前記読取手段により読み取られた原稿の画像について、原稿サイズに応じた画像サイズの画像データを生成する画像生成手段と、を備える画像通信装置のコンピュータが実行可能な画像通信プログラムであって、前記コンピュータに、前記読取手段により複数種類の原稿サイズの原稿が読み取られた場合、前記読取手段により読み取られた原稿のうち、最も大きい原稿サイズを最大サイズとして取得する最大サイズ取得手段と、相手側装置で記録可能な用紙サイズを取得するサイズ取得手段と、前記サイズ取得手段により取得された用紙サイズが、前記最大サイズ取得手段により取得された最大サイズ以上か否かを判断するサイズ判断手段と、前記画像生成手段により生成された画像データの画像サイズが前記最大サイズの半分以下の原稿サイズに応じた小画像サイズであるか否かを判断する小画像判断手段と、前記サイズ判断手段により、前記サイズ取得手段により取得された用紙サイズが前記最大サイズ取得手段により取得された最大サイズ以上と判断された場合、前記画像生成手段により生成された画像データのうち、前記小画像判断手段により前記最大サイズの半分より大きい原稿サイズに応じた画像サイズと判断された画像データを前記最大サイズで前記相手側装置へ送信する第１送信手段と、前記画像生成手段により生成された画像データのうち、前記小画像判断手段により前記小画像サイズと判断された画像データと、当該小画像サイズと判断された画像データの生成後に前記画像生成手段により生成される画像データのうち、前記小画像判断手段により前記小画像サイズと判断された画像データとを、前記第１送信手段により前記画像データが送信されている間に、前記最大サイズに合わせて結合して結合画像データを生成する結合画像生成手段と、前記サイズ判断手段により、前記サイズ取得手段により取得された用紙サイズが前記最大サイズ取得手段により取得された最大サイズ以上と判断された場合、前記第１送信手段により前記画像データの送信が完了されたときに、前記結合画像生成手段により生成された結合画像データを前記相手側装置へ送信する第２送信手段と、を実行させることを特徴とする。
【発明の効果】
【００２０】
請求項１に記載の発明によれば、複数種類の原稿サイズが混在する原稿を送信する際、相手側装置で記録可能な用紙サイズが、読み取られた原稿の最大サイズ以上の場合において、最大サイズより小さい原稿サイズに応じた画像サイズの複数の小画像データが最大サイズに合わせて結合されて相手側装置へ送信される。これにより、原稿サイズの変化に伴う制御設定の変更のための通信を行うことなく相手側装置との通信時間を低減することができる。
【００２１】
請求項２に記載の発明によれば、最大サイズより小さい原稿サイズが最大サイズの半分以下である場合に結合画像データが生成される。これにより、複数の小画像データを縮小することなく結合した結合画像データを生成して相手側装置へ送信することができるので、結合画像データに基づき形成される画像に潰れが生じる可能性を抑制することができる。
【００２２】
請求項３に記載の発明によれば、小画像データが検出された場合において、当該小画像データと、当該小画像データが生成された後に生成される小画像データとが最大サイズに合わせて結合される。これにより、複数の小画像データを最大サイズに合わせて確実に結合することができる。
【００２３】
請求項４に記載の発明によれば、結合画像データとして結合されない画像データが送信されている間に結合画像データが生成され、結合画像データとして結合されない画像データの相手側装置への送信が完了された場合に、結合画像データが相手側装置へ送信される。これにより、相手側装置との通信時間をさらに低減することができる。
【００２４】
請求項５に記載の発明によれば、複数の画像データ各々に対して、送信元情報、送信先情報、送信日時情報のうち少なくとも１つが発信者情報として付加される。これにより、例えば、相手側装置のユーザが、受信した結合画像データを印刷し、小画像データ単位で切断した場合であっても、全ての画像データに発信者情報が付加されているため、相手側装置のユーザによる原稿の管理を容易にすることができる。
【００２５】
請求項６に記載の発明によれば、原稿の読み取り順に付した番号が画像データに付加される。これにより、原稿の順序を相手側装置のユーザに容易に認識させることができる。特に、原稿が読み取られた順に連続していない小画像データが結合されて結合画像データを生成した場合等、原稿の読み取り順に対応して画像データが相手側装置へ送信されない場合において、好適である。
【００２６】
請求項７に記載の発明によれば、２つの小画像データのうち、一方が時計方向に９０度回転され、他方が反時計方向に９０度回転される。そして、回転された２つの小画像データのうち、一方が結合画像データの先行部分に、他方が結合画像データの後続部分に配置されて結合される。これにより、例えば、相手側装置のユーザが、受信した結合画像データを印刷し、小画像データ単位で切断した場合において、小画像データにおける切断側が揃うため、相手側装置のユーザにとって束ねやすい印刷結果を提供することができる。
【００２７】
請求項８に記載の発明によれば、結合画像データとして結合された小画像データ間に境界を示す境界線が付加される。これにより、相手側装置のユーザに結合画像データであることを容易に認識させることができる。
【００２８】
請求項９に記載の発明によれば、反時計方向に９０度回転された表面の小画像データが表面結合画像データの先行部分に配置され、時計方向に９０度回転された表面の小画像データが表面結合画像データの後続部分に配置されて結合される。また、時計方向に９０度回転された裏面の小画像データが裏面結合画像データの先行部分に配置され、反時計方向に９０度回転された裏面の小画像データが裏面結合画像データの後続部分に配置されて結合される。これにより、例えば、相手側装置のユーザが受信した両面結合画像データを印刷して小画像データ単位で切断した場合において、相手側装置のユーザに原稿と同じ構成で印刷結果を提供することができる。
【００２９】
請求項１０に記載の発明によれば、複数の小画像データが、画像データが生成された順に連続している場合において、複数の当該小画像データが最大サイズに合わせて結合される。これにより、原稿の順序を相手側装置のユーザに容易に認識させることができる。
【００３０】
請求項１１に記載の発明によれば、読み取られた原稿から生成された画像データの画像サイズのうち、最も大きい画像サイズに応じた原稿サイズが最大サイズとして取得される。これにより、原稿の画像を読み取って生成された画像データに基づいて最大サイズを取得することができるので、より正確な最大サイズを取得することができる。
【００３１】
請求項１２および請求項１３に記載の発明によれば、複数種類の原稿サイズが混在する原稿が送信される際、相手側装置で記録可能な用紙サイズが、読み取られた原稿の最大サイズ以上の場合において、最大サイズの半分以下の原稿サイズに応じた小画像サイズの画像データと、当該小画像サイズの画像データの生成後に生成される小画像サイズの画像データと、を最大サイズに合わせて結合して生成された結合画像データが相手側装置へ送信される。これにより、複数の小画像サイズの画像データを確実に結合して最大サイズで送信することができるため、原稿サイズの変化に伴う制御設定の変更のための通信を行うことなく相手側装置との通信時間を低減することができる。また、画像データの画像サイズが最大サイズの半分以下の原稿サイズに応じた画像サイズである場合に結合画像データが生成される。これにより、結合画像データに基づき形成される画像に潰れが生じる可能性を抑制することができる。さらに、最大サイズの半分より大きい原稿サイズに応じた画像サイズの画像データ、すなわち、結合画像データとして結合されない画像データが送信されている間に結合画像データが生成され、結合画像データとして結合されない画像データの相手側装置への送信が完了されたときに、結合画像データが相手側装置へ送信される。これにより、相手側装置との通信時間をさらに低減することができる。
【図面の簡単な説明】
【００３２】
【図１】第１実施形態に係る画像通信装置を有したＭＦＰの外観構成を示した斜視図である。
【図２】第１実施形態に係るＭＦＰの電気的構成を示すブロック図である。
【図３（Ａ）】第１実施形態における複数種類の原稿サイズが混在する原稿の一例を示す図であって、読取前の原稿群を示す図である。
【図３（Ｂ）】図３（Ａ）に示す複数種類の原稿サイズが混在する原稿群について、第１実施形態において相手側装置へ送信された画像データを示す図である。
【図３（Ｃ）】図３（Ｂ）に示す画像データに含まれるページ構成画像データを示す図である。
【図４】第１実施形態におけるＦＡＸ送信処理を示すフローチャートである。
【図５】第１実施形態における結合画像ＦＡＸ送信処理の一部分を示すフローチャートである。
【図６】第１実施形態における結合画像ＦＡＸ送信処理の他の部分を示すフローチャートである。
【図７】第２実施形態に係る画像通信装置を有したＭＦＰの外観構成を示した斜視図である。
【図８】第２実施形態に係るＭＦＰの電気的構成を示すブロック図である。
【図９】第２実施形態における結合画像ＦＡＸ送信処理の一部分を示すフローチャートである。
【図１０】第２実施形態における結合画像ＦＡＸ送信処理の他の部分を示すフローチャートである。
【図１１（Ａ）】第２実施形態における複数種類の原稿サイズが混在する原稿の一例を示す図であって、読取前の原稿群を示す図である。
【図１１（Ｂ）】図１１（Ａ）に示す複数種類の原稿サイズが混在する原稿群について、第２実施形態において相手側装置へ送信された画像データを示す図である。
【図１１（Ｃ）】図１１（Ｂ）に示す画像データに含まれるページ構成画像データを示す図である。
【発明を実施するための形態】
【００３３】
以下、本発明の第１及び第２実施形態について、添付図面を参照しつつ詳細に説明する。本実施形態では、画像通信装置として、ファクシミリ機能を有した多機能周辺装置（以下、「ＭＦＰ（Ｍｕｌｔｉ  Ｆｕｎｃｔｉｏｎ  Ｐｅｒｉｐｈｅｒａｌ）」と称す）１を例に挙げて説明する。ＭＦＰ１は、電話回線網１００（図２参照）を介して接続される相手側装置２００（図２参照）とファクシミリ通信可能に構成されている。また、ＭＦＰ１は、プリンタ機能、スキャナ機能、及び、コピー機能等の各種機能も有している。
【００３４】
［第１実施形態］
＜外観的構成＞
第１実施形態に係るＭＦＰ１の外観的構成について、図１を参照して説明する。以下の説明において、図１に示すＭＦＰ１の手前側を前側とし、矢印左右で示す方向を左右方向とし、矢印前後で示す方向を前後方向とし、矢印上下で示す方向を上下方向とする。
【００３５】
本実施形態のＭＦＰ１は、複数種類の原稿サイズが混在した原稿を相手側装置２００へ送信する際に、相手側装置２００で受信可能な用紙サイズが、ＭＦＰ１から相手側装置２００へ送信する原稿のうち最も大きい原稿サイズ以上である場合に、最大サイズより小さい原稿サイズの原稿の画像データを複数結合して相手側装置２００へ送信する機能を有している。
【００３６】
図１に示すように、ＭＦＰ１は、主に、正面下部に設けられる開口部３と、下部に設けられる印刷部２０と、上部に設けられる読取部２１と、正面上部に設けられる操作部６とを備えている。
【００３７】
開口部３の内部が上下に仕切られており、開口部３の下側には、複数枚の記録用紙を積層収納可能な給紙カセット４が挿入されている。給紙カセット４は、Ａ４サイズ等にカットされた記録用紙が収納可能に構成されている。開口部３の上側は、記録済みの記録用紙が排紙される排紙部５となっている。
【００３８】
印刷部２０は、給紙カセット３にセットされた記録用紙への記録を行うインクジェット方式のプリンタで構成されている。
【００３９】
読取部２１は、ファクシミリ機能、スキャナ機能、及び、コピー機能の実行時に原稿を読み取るものであり、Ａ４サイズ、Ｂ４サイズ、または、Ａ３サイズ等の複数種類のサイズの原稿の読み取りが可能となっている。原稿カバー体８は、ＭＦＰ１の天板として設けられている。その原稿カバー体８の下側には、原稿を載置するための載置用ガラス板（非図示）が設けられている。
【００４０】
また、載置用ガラス板の下側には、載置用ガラス板上に載置されている原稿の画像を読み取る原稿読取センサ（非図示）が設けられている。原稿読取センサとしては、例えば、ＣＩＳ（Ｃｏｎｔａｃｔ  Ｉｍａｇｅ  Ｓｅｎｓｏｒ）またはＣＣＤ（Ｃｈａｒｇｅ  Ｃｏｕｐｌｅｄ  Ｄｅｖｉｃｅ）が用いられる。
【００４１】
なお、原稿を読取部２１に読み取らせた場合に印刷される原稿の画像の向き（上下方向）を統一するために、載置用ガラス板上に載置する原稿の向きが予め定められており、ユーザにより、その方向に従って原稿が載置される。
【００４２】
原稿カバー体８には、自動原稿搬送機構（ＡＤＦ：Ａｕｔｏ  Ｄｏｃｕｍｅｎｔ  Ｆｅｅｄｅｒ、以下、「ＡＤＦ」と称す）が設けられている。ＡＤＦは、主に、原稿トレイ９と原稿排出トレイ１０とから構成されている。ＡＤＦは、原稿トレイ９にセットされている原稿を一枚ずつ原稿搬送路を通じて読取部２１へ搬送するとともに、読取部２１により読み取られた原稿を一枚ずつ原稿排出トレイ１０へ排出するものである。本実施形態において、ＡＤＦで読み取り可能な原稿は、Ａ３サイズ以下の原稿サイズの原稿であるとする。
【００４３】
操作部６は、操作キー１５とＬＣＤ等の表示部１６とから構成されている。操作キー１５は、ＦＡＸ設定画面表示キー１５１、パラメータ設定キー１５２、数字キー１５３、スタートキー１５４等を含んでいる。
【００４４】
ＦＡＸ設定画面表示キー１５１は、画像データを送信する送信先、画像データの送信画質、及び両面／片面送信等の設定内容を示すＦＡＸ設定画面を表示部１６に表示するためのキーである。ユーザは、ＦＡＸ設定画面において、画像データの送信先及び送信画質等を設定することが可能である。パラメータ設定キー１５２は、例えば、予め登録されている送信先の中から送信先を選択したり、送信画質、両面／片面送信等を設定するためのキーである。数字キー１５３は、例えば、送信先のＦＡＸ番号を入力するためのキーである。
【００４５】
スタートキー１５４は、ファクシミリ機能、スキャナ機能、または、コピー機能の実行開始を指示するためのキーである。表示部１６にＦＡＸ設定画面が表示されている場合に、ユーザによってスタートキー１５４が押下されると、読取部２１により原稿の読み取りが開始される。また、ユーザは、操作キー１５の各種キーを押下することにより、例えば、電源のオン／オフや、各機能の切り替え等の操作を行うことができる。
【００４６】
表示部１６には、ユーザが希望する機能を指示するための機能選択画面が表示される。また、表示部１６には、ＦＡＸ設定画面等の操作手順や実行中の処理の状態が表示されるとともに、操作キー１５の押下に対応する情報が表示される。
【００４７】
＜電気的構成＞
ＭＦＰ１の電気的構成について、図２を参照して説明する。図２に示すように、ＭＦＰ１は、主に、ＣＰＵ１１と、ＲＯＭ１２と、ＲＡＭ１３と、フラッシュメモリ１４と、操作キー１５と、表示部１６と、印刷部２０と、読取部２１と、モデム２３と、ＮＣＵ２４とを備えている。
【００４８】
ＣＰＵ１１、ＲＯＭ１２、ＲＡＭ１３、及び、フラッシュメモリ１４は、バスライン２６を介して互いに接続されている。また、操作キー１５、表示部１６、印刷部２０、読取部２１、モデム２３、ＮＣＵ２４、及び、バスライン２６は、入出力ポート２７を介して互いに接続されている。また、モデム２３とＮＣＵ２４とは互いに接続されている。
【００４９】
ＣＰＵ１１は、ＲＯＭ１２、ＲＡＭ１３、及び、フラッシュメモリ１４に記憶される固定値やプログラムに従って、ＭＦＰ１が有している各機能の制御や、入出力ポート２７と接続された各部を制御するものである。本実施形態では、ＣＰＵ１１は、ＲＯＭ１２、ＲＡＭ１３、及び、フラッシュメモリ１４などの記憶手段とともに、コンピュータを構成する。
【００５０】
ＲＯＭ１２は、ＭＦＰ１で実行される制御プログラム等を格納する書き換え不能なメモリである。ＲＯＭ１２は、本発明の画像通信プログラムを記憶しており、具体的には、図４に示すフローチャートに従うＦＡＸ送信処理、図５及び図６に示すフローチャートに従う結合画像ＦＡＸ送信処理を実行する各プログラムが記憶されている。ＲＯＭ１２は、Ａ４サイズ、Ｂ４サイズ、Ａ３サイズ等の各原稿サイズにおける縦方向及び横方向の長さを記憶している。また、ＲＯＭ１２は、ユーザにより選択可能な画質「標準」、「ファイン（写真）」、「スーパーファイン」と各々対応する解像度とを関連付けて記憶している。画質の設定の詳細については、後述する。
【００５１】
印刷部２０は、ＣＰＵ１１からの指示に基づいて、所定の給紙位置にセットされた記録用紙への記録を行うものである。
【００５２】
モデム２３は、ファクシミリ機能によって送信する画像データを、電話回線網１００に伝送可能な信号に変調してＮＣＵ２４を介して送信する。また、モデム２３は、電話回線網１００からＮＣＵ２４を介して入力された信号を受信し、表示部１６に表示したり印刷部２０で記録用紙に記録できるように、受信した信号を画像データへ復調するものである。
【００５３】
ＮＣＵ２４は、電話回線網１００と接続されており、電話回線網１００へのダイヤル信号の送出や、電話回線網１００からの呼出信号の応答等の制御を行うものである。
【００５４】
ＲＡＭ１３は、書き換え可能な揮発性のメモリであり、各種のデータを一時的に記憶するためのメモリである。ＲＡＭ１３は、原稿サイズメモリ１３１と、読取原稿番号メモリ１３３と、原稿画像数メモリ１３４と、原稿画像メモリ１３５と、相手側能力メモリ１３６と、結合画像番号メモリ１３７と、結合画像メモリ１３８と、小画像番号メモリ１３９と、送信画像数メモリ１４０と、発信者情報メモリ１４１と、両面送信フラグメモリ１４２とを有している。
【００５５】
原稿サイズメモリ１３１は、後述するように読取部２１で読み取られた原稿の原稿サイズが記憶されるメモリである。本実施形態において、１つの原稿群に対して、読取部２１で読み取られた原稿１枚毎に読み取り順で番号（以下、「読取原稿番号」と称す）Ｄｎが付され、読取原稿番号Ｄｎを表す情報（以下、「読取原稿番号情報」と称す）ＩＤｎと各原稿の原稿サイズとが関連付けて原稿サイズメモリ１３１に記憶される。例えば、図３（Ａ）に示す原稿Ｐ１〜Ｐ５の場合、「ＩＤ１：Ａ３サイズ」、「ＩＤ２：Ａ４サイズ」、「ＩＤ３：Ａ３サイズ」、「ＩＤ４：Ａ４サイズ」、「ＩＤ５：Ａ４サイズ」のように、読取原稿番号情報ＩＤｎと各原稿の原稿サイズとが各々関連付けて記憶される。以下、読取原稿番号「１」〜「５」をそれぞれ読取原稿番号Ｄ１〜Ｄ５で示し、読取原稿番号Ｄ１〜Ｄ５を表す情報をそれぞれ読取原稿番号情報ＩＤ１〜ＩＤ５で示す。ここで、１つの原稿群とは、ユーザによるスタートボタン１５４の１回の押下によって、読取部２１で連続して読み取られた複数枚の原稿である。
【００５６】
なお、原稿サイズメモリ１３１に記憶される原稿サイズは、ＣＰＵ１１により以下のようにして決定される。まず、読取部２１で読み取られた原稿の画像データから原稿の四隅の角部の位置がＣＰＵ１１により検出され、検出された角部の位置から原稿の縦方向及び横方向の長さが算出される。そして、ＲＯＭ１２に記憶されている原稿サイズの縦方向及び横方向の長さのうち、算出された原稿の縦方向及び横方向の長さと一致する原稿サイズが読み取られた原稿の原稿サイズと決定される。
【００５７】
また、原稿サイズメモリ１３１には、最大サイズメモリ１３３が設けられている。最大サイズメモリ１３２は、１つの原稿群のうち、最も大きい原稿サイズ（以下、「最大サイズ」と称す）が記憶されるメモリである。例えば、図３（Ａ）に示す原稿Ｐ１〜Ｐ５の場合、「Ａ３サイズ」が記憶される。
【００５８】
読取原稿番号メモリ１３３は、１つの原稿群のうち、結合画像ＦＡＸ送信処理（図５及び図６参照）が実行された原稿の総枚数を示す情報が記憶されるメモリである。すなわち、読取原稿番号メモリ１３３には、結合画像ＦＡＸ送信処理が実行された原稿に対応する読取原稿番号情報ＩＤｎのうち、最も大きい読取原稿番号Ｄｎを表す読取原稿番号情報ＩＤｎが記憶される。
【００５９】
原稿画像数メモリ１３４は、１つの原稿群に含まれる複数枚の原稿の画像データのうち、結合画像ＦＡＸ送信処理（図５及び図６参照）が実行された画像データの総数が記憶されるメモリである。なお、読取部２１により読み取られた原稿が両面原稿である場合は、原稿の表面及び裏面についてそれぞれ１つの画像データとして数えることとする。例えば、図３（Ａ）に示す原稿Ｐ１〜Ｐ５は全て両面原稿であり、原稿Ｐ１、Ｐ２の表面及び裏面について結合画像ＦＡＸ送信処理が実行された場合は、原稿Ｐ１、Ｐ２の表面及び裏面の画像データの総数である「４」が記憶される。
【００６０】
原稿画像メモリ１３５は、読取部２１により読み取られた原稿の画像データが記憶されるメモリである。原稿画像メモリ１３５に記憶される画像データは、Ａ４サイズ、Ｂ４サイズ、Ａ３サイズ等の原稿サイズに応じた画像サイズを有する。本実施形態において、原稿サイズに応じた画像サイズとは、原稿サイズの縦方向及び横方向の長さに相当する縦方向及び横方向の画素数で表されるものである。
【００６１】
相手側能力メモリ１３６は、相手側装置２００が有する送受信機能の能力が記憶されるメモリである。相手側装置２００が有する送受信機能の能力は、ＭＦＰ１から相手側装置２００へ画像データを送信する前に相手側装置２００から送信される。相手側装置２００が有する送受信機能の能力とは、例えば、相手側装置２００で記録可能な最大の用紙サイズ（以下、「最大用紙サイズ」と称す）、両面原稿の画像データの受信の可否、解像度、符号化方式（圧縮及び復元方式）、通信速度等である。本実施形態における相手側装置２００で記録可能な最大の用紙サイズが、本発明の相手側装置で記録可能な用紙サイズの一例である。
【００６２】
結合画像番号メモリ１３７は、結合画像データの総数を記憶するメモリである。１つの原稿群に複数種類の原稿サイズの原稿が含まれる場合、その複数種類の原稿サイズのうち、最大サイズの半分以下の原稿サイズに応じた画像サイズの小画像データが、結合画像ＦＡＸ送信処理（図５及び図６参照）により結合される。結合画像データは、上記小画像データが結合されたものである。
【００６３】
すなわち、結合画像番号メモリ１３７は、結合画像ＦＡＸ送信処理において、結合画像データの生成順に付された結合画像番号のうち、最も大きい結合画像番号を記憶する。なお、両面原稿の画像データについて結合画像ＦＡＸ送信処理が実行される場合は、２枚の原稿が結合された表面の結合画像データとその２枚の原稿が結合された裏面の結合画像データとが合わせて１つの結合画像データとして数えられる。例えば、図３（Ｂ）に示す送信原稿数情報ＩＳ５、ＩＳ６の結合画像データＮＦＤ１、ＮＢＤ１は、読取原稿番号情報ＩＤ２の表面の画像データＣＦＤ１と読取原稿番号情報ＩＤ４の表面の画像データＣＦＤ２とが結合された表面の結合画像データＮＦＤ１と、読取原稿番号情報ＩＤ２の裏面の画像データＣＢＤ１と読取原稿番号情報ＩＤ４の裏面の画像データＣＢＤ２とが結合された裏面の結合画像データＮＢＤ１とであり、結合画像データＮＦＤ１及び結合画像データＮＢＤ１を合わせて１つの結合画像データとして数えられる。本実施形態において、後述する送信画像数メモリ１４０に記憶される送信画像数Ｓｎを表す情報を送信画像数情報ＩＳｎとし、送信画像数「１」〜「５」を表す送信画像数情報をそれぞれＩＳ１〜ＩＳ５で示す。
【００６４】
結合画像メモリ１３８は、結合画像ＦＡＸ送信処理（図５及び図６参照）において生成された結合画像データが結合画像番号と関連付けて記憶されるメモリである。なお、両面原稿の画像データについて結合画像ＦＡＸ送信処理が実行される場合は、生成された結合画像データが表面であるか裏面であるかという情報も関連付けて結合画像メモリ１３８に記憶される。
【００６５】
小画像番号メモリ１３９は、１つの原稿群に含まれる複数枚の原稿の画像データのうち、結合画像ＦＡＸ送信処理（図５及び図６参照）において結合画像データの生成に用いられた小画像データの総数が記憶されるメモリである。すなわち、小画像番号メモリ１３９は、結合画像ＦＡＸ送信処理において、結合画像データの生成に用いられた順に付された小画像番号のうち、最も大きい小画像番号を記憶する。なお、両面原稿の画像データについての結合画像ＦＡＸ送信処理の場合は、表面の小画像データと裏面の小画像データとは合わせて１つの小画像データとして数えられる。
【００６６】
送信画像数メモリ１４０は、電話回線網１００を介して相手側装置２００へ送信された画像データの総数が記憶されるメモリである。
【００６７】
発信者情報メモリ１４１は、例えば、送信元電話番号や送信元名称等の送信元を表す送信元情報、相手側装置電話番号や相手側装置の名称等の送信先を表す送信先情報、送信日時情報等からなる発信者情報が記憶されるメモリである。
【００６８】
両面送信フラグメモリ１４２は、両面送信フラグが記憶されるメモリである。両面送信フラグは、ユーザによるパラメータ設定キー１５２の操作に基づいて、読取部２１で読み取られた原稿の画像データを相手側装置２００へ両面送信するか否かを示すフラグである。両面送信フラグがオンである場合は、相手側装置２００へ両面送信する旨を示し、一方、両面送信フラグがオフである場合は、相手側装置２００へ両面送信しない旨を示す。
【００６９】
なお、ＲＡＭ１３に記憶される各種データは、１つの原稿群に含まれる全ての原稿の画像データが相手側装置２００へ送信完了されたときにＲＡＭ１３から消去される。また、読取原稿番号メモリ１３３、原稿画像数メモリ１３４、結合画像番号メモリ１３７、小画像番号メモリ１３９、送信画像数メモリ１４０に記憶される各種データは、１つの原稿群に含まれる全ての原稿の画像データについて結合画像ＦＡＸ送信処理が完了するまでの間、結合画像ＦＡＸ送信処理が繰り返し実行されるのに伴って随時更新される。
【００７０】
フラッシュメモリ１４は、書き換え可能な不揮発性のメモリであり、このフラッシュメモリ１４に記憶されたデータは、ＭＦＰ１の電源オフ後も保持される。フラッシュメモリ１４は、送信先登録メモリ１４７と、画質設定メモリ１４８とを有している。
【００７１】
送信先登録メモリ１４７は、送信先のＦＡＸ番号や、送信先の名称等を予め記憶しておくためのメモリである。ユーザは、送信先登録メモリ１４７に送信先のＦＡＸ番号や送信先の名称等を予め記憶しておくことにより、操作キー１５を操作して、原稿の送信先を選択することができる。
【００７２】
画質設定メモリ１４８は、ユーザによるパラメータ設定キー１５２の操作により画質「標準」、「ファイン（写真）」、「スーパーファイン」のうち１つが選択された場合に、その画質が記憶されるメモリである。本実施形態では、選択された画質に対応する解像度と選択された画質とが関連付けて記憶される。選択された画質に対応する解像度は、ＲＯＭ１２に画質と関連付けて記憶された解像度に基づくものである。
【００７３】
＜実施形態の動作＞
次に、第１実施形態に係るＭＦＰ１の動作について、図３（Ａ）〜図３（Ｃ）及び図４〜図６を参照して詳細に説明する。
【００７４】
（ＦＡＸ送信処理）
まず、図４を参照して、ＭＦＰ１のＣＰＵ１１により実行されるＦＡＸ送信処理について説明する。このＦＡＸ送信処理は、原稿の画像データを相手側装置２００へ送信するための処理であり、複数種類の原稿サイズが混在した原稿を相手側装置２００へ送信する際、相手側装置２００で受信可能な用紙サイズが、ＭＦＰ１から相手側装置２００へ送信する原稿のうち最も大きい原稿サイズ以上である場合に、最大サイズより小さい原稿サイズの原稿の画像データを複数結合して相手側装置２００へ送信するための処理である。なお、このＦＡＸ送信処理は、表示部１６にＦＡＸ設定画面が表示されている場合に、ユーザにより送信先が選択され、スタートキー１５４が押下された場合に実行される処理である。図３（Ａ）において、読取原稿番号情報ＩＤ１〜ＩＤ５に対応する原稿をそれぞれ原稿Ｐ１〜Ｐ５で示す。
【００７５】
このＦＡＸ送信処理では、まず、原稿トレイ９に載置された複数枚の原稿が読み取られる（ステップ４００、以下ステップをＳと記す）。Ｓ４００で読み取られた複数枚の原稿を１つの原稿群とする。Ｓ４００では、１つの原稿群について、原稿１枚毎に読み取られた順で読取原稿番号Ｄｎが付される。また、Ｓ４００において、１つの原稿群は、画質設定メモリ１４８に記憶された解像度で読み取られる。
【００７６】
次に、Ｓ４００で読み取られた１つの原稿群に含まれる原稿の画像データが生成される（Ｓ４０２）。Ｓ４０２では、Ｓ４００で読み取られた各原稿の画像データが生成され、生成された画像データから原稿の四隅の角部の位置が検出される。ここで、読み取られた各原稿の画像データは、ＡＤＦで読み取り可能な最大原稿サイズに応じた画像サイズの画像データである。そして、検出された角部の位置から原稿の四辺が取得され、取得された四辺に合わせて生成された画像データが、最大原稿サイズに応じた画像サイズの画像データから切り取られる。この切り取りにより、原稿サイズに応じた画像サイズの画像データが生成される。生成された画像データは原稿画像メモリ１３５に記憶される。
【００７７】
例えば、図３（Ａ）に示す原稿群について、Ａ４サイズの原稿がＡＤＦで読み取られた場合、ＡＤＦで読み取り可能な最大原稿サイズはＡ３サイズであるため、Ａ３サイズに応じた画像サイズの画像データからＡ４サイズの原稿の四隅の角部の位置が検出される。そして、検出された角部の位置からＡ４サイズの原稿の四辺の長さが取得され、Ａ４サイズの原稿の画像データが切り取られる。この切り取りにより、読み取られたＡ４サイズに応じた画像サイズの画像データが生成される。
【００７８】
各原稿について生成された各画像データから、１つの原稿群に含まれる各原稿の原稿サイズが検出される（Ｓ４０４）。Ｓ４０４では、まず、Ｓ４０２で生成された画像データの縦方向及び横方向の画素数が取得される。次に、Ｓ４００で読み取られた解像度に基づいて、取得された縦方向及び横方向の画素数から原稿の縦方向及び横方向の長さが算出される。そして、ＲＯＭ１２に記憶されたＡ４サイズ等の原稿サイズにおける縦方向及び横方向の長さを参照して、算出された縦方向及び横方向の長さに一致する原稿サイズが検出される。検出された原稿サイズは原稿サイズメモリ１３１に記憶される。
【００７９】
例えば、図３（Ａ）に示す原稿群では、Ｓ４０４において、読取原稿番号情報ＩＤ１に対応する原稿Ｐ１はＡ３サイズ、読取原稿番号情報ＩＤ２に対応する原稿Ｐ２はＡ４サイズ、読取原稿番号情報ＩＤ３に対応する原稿Ｐ３はＡ３サイズ、読取原稿番号情報ＩＤ４に対応する原稿Ｐ４はＡ４サイズ、読取原稿番号情報ＩＤ５に対応する原稿Ｐ５はＡ４サイズと検出される。
【００８０】
図４に示すＳ４０６において、１つの原稿群のうち最も大きい原稿サイズを示す最大サイズが検出される。検出された最大サイズは、最大サイズメモリ１３３に記憶される。例えば、図３（Ａ）に示す原稿群の場合、「Ａ３サイズ」が検出される。
【００８１】
図２に示すＳ４０８において、電話回線網１００を介して相手側装置２００と接続される。すなわち、電話回線１００に接続されている相手側装置２００へ発呼され、相手側装置２００との間で電話回線が閉結される。
【００８２】
相手側装置２００から電話回線網１００を介して、相手側装置２００が有する送受信機能の能力が受信される（Ｓ４１０）。受信した相手側装置２００が有する送受信機能の能力は、相手側能力メモリ１３６に記憶される。本実施形態において、Ｓ４１０で受信した相手側装置２００の送受信機能の能力は、相手側装置２００で記録可能な最大用紙サイズをＡ３サイズ、及び、両面原稿の画像データの受信可能であるとする。
【００８３】
相手側装置２００の記録可能な最大用紙サイズがＳ４０６で検出された最大サイズ以上か否かが判断される（Ｓ４１２）。判断の結果、最大用紙サイズが最大サイズより小さいと判断された場合（Ｓ４１２：ＮＯ）、通常のＦＡＸ送信処理が実行されて（Ｓ４１４）、本処理が終了される。ここで、通常のＦＡＸ送信処理とは、公知のＦＡＸ送信処理であり、相手側装置２００が有する送受信機能の能力に基づいて、原稿の画像データを圧縮符号化して相手側装置２００へ送信する処理である。
【００８４】
最大用紙サイズが最大サイズ以上であると判断された場合（Ｓ４１２：ＹＥＳ）、１つの原稿群に長尺原稿が含まれているか否かが判断される（Ｓ４１６）。Ｓ４１６の判断の結果、１つの原稿群の中に長尺原稿があると判断された場合は（Ｓ４１６：ＹＥＳ）、ステップ処理はＳ４１４へ移行される。ここで、長尺原稿とは、Ａ４サイズ、Ｂ４サイズ、Ａ３サイズ等の規定サイズに該当しない原稿サイズである。
【００８５】
Ｓ４１６の判断の結果、１つの原稿群の中に長尺原稿がないと判断された場合（Ｓ４１６：ＮＯ）、後述する結合画像ＦＡＸ送信処理が実行されて（Ｓ４１８）、本処理が終了される。
【００８６】
本実施形態において、図３（Ａ）に示す原稿群の場合、Ｓ４１２において、相手側装置２００の記録可能な最大用紙サイズ「Ａ３」は最大サイズ「Ａ３」と等しいので、ステップ処理がＳ４１６に移行され、図３（Ａ）に示す原稿群に長尺原稿は含まれていないため、Ｓ４１８の結合画像ＦＡＸ送信処理へ移行される。
【００８７】
（結合画像ＦＡＸ送信処理）
次に、図５及び図６を参照して、ＭＦＰ１のＣＰＵ１１により実行される結合画像ＦＡＸ送信処理（図４に示すＳ４１８）について説明する。１つの原稿群に含まれる所定の読取原稿番号の原稿の画像データが相手側装置２００へ送信開始されたとき、または、結合画像データが生成されて結合画像メモリ１３８に記憶されたときに、次の読取原稿番号の原稿の画像データについて、結合画像ＦＡＸ送信処理が開始される。すなわち、１つの原稿群に含まれる所定の読取原稿番号の原稿の画像データについて結合画像ＦＡＸ送信処理が終了されていない場合であっても、相手側装置２００へ送信開始された後、または、生成された結合画像データが結合画像メモリ１３８に記憶された後であれば、次の読取原稿番号の画像データについて、結合画像ＦＡＸ送信処理が並行して開始される。
【００８８】
以下の説明において、小画像番号メモリ１３９に記憶される小画像番号Ｃｎを表す情報を小画像番号情報ＩＣｎとし、例えば、小画像番号「１」〜「５」をそれぞれＣ１〜Ｃ５で示し、小画像番号Ｃ１〜Ｃ５を表す小画像番号情報をそれぞれＩＣ１〜ＩＣ５で示す。結合画像番号メモリ１３７に記憶される結合画像番号Ｎｎを表す情報を結合番号情報ＩＮｎとし、例えば、結合画像番号「１」〜「５」をそれぞれＮ１〜Ｎ５で示し、結合画像番号Ｎ１〜Ｎ５を表す結合画像番号情報をそれぞれＩＮ１〜ＩＮ５で示す。原稿画像数メモリ１３４に記憶される原稿画像数Ｔｎを表す情報を原稿画像数情報ＩＴｎとし、例えば、原稿画像数「１」〜「５」をそれぞれＴ１〜Ｔ５で示し、原稿画像数Ｔ１〜Ｔ５を表す原稿画像数情報をそれぞれＩＴ１〜ＩＴ５で示す。送信画像数メモリ１４０に記憶される送信画像数Ｓｎを表す情報を送信画像数情報ＩＳｎとし、例えば、送信画像数「１」〜「５」をそれぞれＳ１〜Ｓ５で示し、送信画像数Ｓ１〜Ｓ５を表す送信画像数情報をそれぞれＩＳ１〜ＩＳ５で示す。
【００８９】
本実施形態では、２つの小画像データが結合された最大サイズの画像データを結合画像データと表現するが、１つの小画像データが、後述するページ構成画像データＰＧ（図３（Ｃ）参照）または白紙ページの画像データと結合された最大サイズの画像データも結合画像データとして扱うこととする。１つの小画像データが、ページ構成画像データＰＧまたは白紙ページの画像データと結合された最大サイズの画像データは、例えば、図３（Ｂ）に示す送信原稿数情報ＩＳ７、ＩＳ８の結合画像データＮＦＤ２、ＮＢＤ２である。
【００９０】
この結合画像ＦＡＸ送信処理では、まず、１つの原稿群に含まれる原稿の画像データを相手側装置２００へ両面送信するか否かが判断される（Ｓ５００）。具体的には、相手側能力メモリ１３６に記憶されている両面原稿の画像データの受信可否が参照され、相手側装置２００による両面原稿の画像データの受信が可能であると判断された場合、相手側装置２００へ両面送信するか否かを選択させる旨が表示部１６に表示される。操作キー１５からユーザによる両面送信する旨の入力が受け付けられた場合、当該原稿群の原稿の画像データを相手側装置２００へ両面送信すると判断され（Ｓ５００：ＹＥＳ）、両面送信フラグメモリ１４２に記憶される両面送信フラグがオンになる。
【００９１】
相手側装置２００による両面原稿の画像データの受信が不可能であると判断された場合、または、相手側装置２００による両面原稿の画像データの受信は可能であるがユーザによる両面送信しない旨の入力が受け付けられた場合は、相手側装置２００へ両面送信しないと判断され（Ｓ５００：ＮＯ）、両面送信フラグメモリ１４２に記憶される両面送信フラグがオフになる。
【００９２】
Ｓ５００の判断の結果、両面送信すると判断された場合（Ｓ５００：ＹＥＳ）、相手側装置２００へ「記録サイズ：最大サイズ、両面送信あり」を示す情報が送信される（Ｓ５０２）。両面送信しないと判断された場合（Ｓ５００：ＮＯ）、相手側装置２００へ「記録サイズ：最大サイズ、両面送信なし」を示す情報が送信される（Ｓ５０４）。例えば、図３（Ａ）に示す原稿群が両面送信される場合、「記録サイズ：Ａ３サイズ、両面送信あり」を示す情報が相手側装置２００へ送信される。
【００９３】
Ｓ５０６において、読取原稿番号Ｄｎ、小画像番号Ｃｎ、結合画像番号Ｎｎ、原稿画像数Ｔｎ、及び、送信画像数Ｓｎがそれぞれ「０」にされる。そして、読取原稿番号Ｄｎに「１」が加算される（Ｓ５０８）。
【００９４】
読取原稿番号Ｄｎの原稿（以下、「読取原稿Ｄｎ」と称す）の原稿サイズが最大サイズ以上であるか否かが判断され（Ｓ５１０）、読取原稿Ｄｎの原稿サイズが最大サイズより小さいと判断された場合（Ｓ５１０：ＮＯ）、ステップ処理はＳ５３４へ移行される。読取原稿Ｄｎの原稿サイズが最大サイズ以上と判断された場合（Ｓ５１０：ＹＥＳ）、ステップ処理はＳ５１４へ移行される。
【００９５】
Ｓ５１４において、原稿画像数Ｔｎ及び送信画像数Ｓｎにそれぞれ「１」が加算され、読取原稿Ｄｎの表面の画像データＤＦｎに発信者情報３４と原稿画像数情報ＩＴｎとが結合される（Ｓ５１６）。Ｓ５１６では、読取原稿Ｄｎの表面の画像データＤＦｎの先端部分に、発信者情報メモリ１４１に記憶された発信者情報３４と、原稿画像数Ｔｎの原稿画像数情報ＩＴｎとが合成される。画像データの先端部分とは、図３（Ａ）における原稿の上端部分に相当する位置である。図３（Ａ）において、矢印上下で示す方向を上下方向とする。
【００９６】
例えば、図３（Ｂ）に示す送信原稿数情報ＩＳ１の画像データＤＦ１では、画像データＤＦ１の上端部分に発信者情報３４である「ＡＡＡ」と原稿画像数情報ＩＴ１である「１」とが合成されている。Ｓ５１４で合成される発信者情報３４は、発信者情報メモリ１４１に記憶された送信元情報、送信先情報、及び、送信日時情報であり、図３（Ｂ）では、「ＡＡＡ」と簡略化して示されている。
【００９７】
読取原稿Ｄｎの表面の画像データＤＦｎの相手側装置２００への送信が開始される（Ｓ５１８）。Ｓ５１８において、画像データは圧縮符号化されて相手側装置２００へ送信される。そして、ページ数として送信画像数情報ＩＳｎ、及び、ページ情報「表」が相手側装置２００へ送信される（Ｓ５２０）。ページ情報「表」は、Ｓ５１８で相手側装置２００への送信が開始される画像データに対応する原稿が表面であることを示す情報である。Ｓ５２０で相手側装置２００へ送信されるページ数は、図３（Ｃ）に示すページ構成画像データＰＧの送信順序に相当し、ページ情報は、読取原稿情報に含まれる表面及び裏面を識別する識別情報に相当する。
【００９８】
両面送信フラグメモリ１４２に記憶される両面送信フラグがオンであるか否かが判断され（Ｓ５２２）、両面送信フラグがオフであると判断された場合（Ｓ５２２：ＮＯ）、ステップ処理はＳ５３２へ移行される。
【００９９】
両面送信フラグがオンであると判断された場合（Ｓ５２２：ＹＥＳ）、原稿画像数Ｔｎ及び送信画像数Ｓｎにそれぞれ「１」が加算され（Ｓ５２４）、Ｓ５１６と同様に、読取原稿Ｄｎの裏面の画像データＤＢｎに発信者情報と原稿画像数Ｔｎの原稿画像数情報ＩＴｎとが結合される（Ｓ５２６）。
【０１００】
Ｓ５１８と同様にして、読取原稿Ｄｎの裏面の画像データＤＢｎを相手側装置２００へ送信する動作が開始される（Ｓ５２８）。そして、ページ数として送信画像数情報ＩＳｎ、及び、ページ情報「裏」が相手側装置２００へ送信される（Ｓ５３０）。ページ情報「裏」は、Ｓ５２８で相手側装置２００への送信が開始される画像データに対応する原稿が裏面であることを示す情報である。Ｓ５３０で相手側装置２００へ送信されるページ数は、図３（Ｃ）に示すページ構成画像データＰＧの送信順序に相当し、ページ情報は、読取原稿情報に含まれる表面及び裏面を識別する識別情報に相当する。
【０１０１】
Ｓ５３２において、次の原稿があるか否か、すなわち、原稿画像メモリ１３５に記憶された画像データのうち、未処理の画像データがあるか否かが判断される。次の原稿がないと判断された場合（Ｓ５３２：ＮＯ）、ステップ処理はＳ５７４へ移行される。一方、次の原稿があると判断された場合（Ｓ５３２：ＹＥＳ）、ステップ処理はＳ５０８へ移行される。
【０１０２】
Ｓ５１０において、読取原稿Ｄｎの原稿サイズが最大サイズより小さいと判断された場合（Ｓ５１０：ＮＯ）、読取原稿Ｄｎの原稿サイズが最大サイズの半分以下か否かが判断される（Ｓ５３４）。判断の結果、読取原稿Ｄｎの原稿サイズが最大サイズの半分より大きいと判断された場合（Ｓ５３４：ＮＯ）、ステップ処理はＳ５１２へ移行される。
【０１０３】
Ｓ５１２において、読取原稿Ｄｎの原稿サイズに応じた画像サイズが最大サイズに応じた画像サイズとなるように、読取原稿Ｄｎの画像データの画像サイズが変換される。具体的には、読取原稿Ｄｎの原稿サイズが最大サイズより小さく、且つ、最大サイズの半分より大きい場合（Ｓ５１０：ＮＯ、Ｓ５３４：ＮＯ）、最大サイズに応じた画像サイズとなるように、読取原稿Ｄｎの画像データが拡大される、または、読取原稿Ｄｎの画像データに余白が付与される。そして、ステップ処理はＳ５１４へ移行される。
【０１０４】
読取原稿Ｄｎの原稿サイズが最大サイズの半分以下と判断された場合（Ｓ５３４：ＹＥＳ）、読取原稿Ｄｎの横幅が最大サイズの横幅の半分となるように、読取原稿Ｄｎの画像データの画像サイズが変換される（Ｓ５３６）。具体的には、読取原稿Ｄｎの画像データが最大サイズの横幅の半分となるように拡大される、または、最大サイズの横幅の半分となるように読取原稿Ｄｎの画像データに余白が付与される。
【０１０５】
小画像番号メモリ１３９に記憶される小画像番号Ｃｎが偶数であるか否かが判断される（Ｓ５３８）。すなわち、Ｓ５３８では、１つの原稿群の原稿の画像データのうち、Ｓ５３４で最大サイズの半分以下と判断された原稿の画像データ数が偶数か否かが判断される。
【０１０６】
小画像番号Ｃｎが奇数である場合は、回転処理済みの小画像データ数が奇数の場合であり、回転処理済みの小画像データ１つが配置された画像データが存在することを意味する。一方、小画像番号Ｃｎが偶数である場合は、回転処理済みの小画像データ数が偶数の場合であり、回転処理済みの小画像データ１つが配置された画像データは存在せず、回転処理済みの小画像データが２つずつ配置された結合画像データのみが存在することを意味する。回転処理とは、後述するＳ５４４、Ｓ５５４、Ｓ５６０、または、Ｓ５７０の処理である。
【０１０７】
Ｓ５３８の判断の結果、小画像番号Ｃｎが偶数であると判断された場合（Ｓ５３８：ＹＥＳ）、小画像番号Ｃｎ、原稿画像数Ｔｎ、及び、結合画像番号Ｎｎに「１」が加算される（Ｓ５４０）。そして、読取原稿Ｄｎの表面の画像データＤＦｎに発信者情報メモリ１４１に記憶された発信者情報３４と原稿画像数Ｔｎの原稿画像数情報ＩＴｎとが結合される（Ｓ５４２）。Ｓ５４２において、読取原稿Ｄｎの表面の画像データＤＦｎは、小画像番号Ｃｎを表す小画像番号情報ＩＣｎと関連付けられる表面の小画像データ（以下、「表面の小画像データＣＦＤｎ」と称す）である。
【０１０８】
本実施形態において、発信者情報３４と原稿画像数情報ＩＴｎは、表面の小画像データＣＦＤｎの先端部分に合成される。例えば、図３（Ｂ）に示す送信原稿数情報ＩＳ５の表面の結合画像データＮＦＤ１は、文字列「ＡＡＡ」で示された発信者情報３４と原稿画像数情報ＩＴ３、ＩＴ７とが、読取原稿番号情報ＩＤ２の表面の画像データＣＦＤ１及び読取原稿番号情報ＩＤ４の表面の画像データＣＦＤ２の先端部分にそれぞれ合成されている。なお、図３（Ｂ）において、矩形で示された表面の結合画像データＮＦＤ１の中に記された「２表画像データ」の文字列は、「読取原稿番号「２」の原稿の表面の画像データ」を示す。図３（Ｂ）において、読取原稿番号「２」の小画像データＣＦＤ１の上方向は、図３（Ｂ）に示す矢印左方向に相当し、読取原稿番号「４」の小画像データＣＦＤ２の上方向は、図３（Ｂ）に示す矢印右方向に相当する。本実施形態における小画像データの先端部分とは、図３（Ｂ）に示す小画像データの上端部分である。
【０１０９】
表面の小画像データＣＦＤｎが反時計方向に９０度回転され、回転された小画像データＣＦＤｎが結合画像番号Ｎｎの表面の結合画像データ（以下、「表面の結合画像データＮＦＤｎ」）の先行部分に配置されて合成される（Ｓ５４４）。結合画像データＮＦＤｎの画像サイズは、最大サイズに応じた画像サイズである。本実施形態において、先行部分とは、例えば、図３（Ｂ）の送信原稿画像数情報ＩＳ５の表面の結合画像データＮＦＤ１における上半分である。なお、図３（Ｂ）において、結合画像データＮＦＤｎの上下方向は、図３（Ｂ）に示す矢印上下方向に相当する。
【０１１０】
小画像データＣＦＤｎが配置された結合画像データＮＦＤｎを縦方向に２分割する位置に破線等で示した境界線が、結合画像データＮＦＤｎに合成される（Ｓ５４６）。Ｓ５４４及びＳ５４６で合成された結合画像データＮＦＤｎは、結合画像番号情報ＩＮｎと「表面」とが関連付けられて結合画像メモリ１３８に記憶される。
【０１１１】
両面送信フラグメモリ１４２に記憶される両面送信フラグがオンであるか否かが判断され（Ｓ５４８）、両面送信フラグがオフであると判断された場合（Ｓ５４８：ＮＯ）、ステップ処理はＳ５３２へ移行される。
【０１１２】
両面送信フラグがオンであると判断された場合（Ｓ５４８：ＹＥＳ）、原稿画像数Ｔｎに「１」が加算される（Ｓ５５０）。そして、Ｓ５４２と同様に、読取原稿Ｄｎの裏面の画像データＤＢｎに発信者情報メモリ１４１に記憶された発信者情報３４と原稿画像数Ｔｎの原稿画像数情報ＩＴｎとが結合される（Ｓ５５２）。Ｓ５５２において、読取原稿Ｄｎの裏面の画像データＤＢｎは、小画像番号Ｃｎを表す小画像番号情報ＩＣｎと関連付けられる裏面の小画像データ（以下、「裏面の小画像データＣＢＤｎ」と称す）である。例えば、図３（Ｂ）に示す送信原稿数情報ＩＳ６の裏面の結合画像データＮＢＤ１は、文字列「ＡＡＡ」で示された発信者情報３４と原稿画像数情報ＩＴ４、ＩＴ８とが、読取原稿番号情報ＩＴ２の裏面の画像データＣＢＤ１及び読取原稿番号情報ＩＴ４の裏面の画像データＣＢＤ２の先端部分に合成されている。
【０１１３】
そして、Ｓ５４４と同様にして、裏面の小画像データＣＢＤｎが時計方向に９０度回転され、
回転された小画像データＣＢＤｎが結合画像番号Ｎｎの裏面の結合画像データ（以下、「裏面の結合画像データＮＢＤｎ」と称す）の先行部分に配置される（Ｓ５５４）。結合画像データＮＢＤｎの画像サイズは、最大サイズに応じた画像サイズである。そして、ステップ処理はＳ５３２へ移行される。
【０１１４】
小画像データＣＢＤｎが配置された結合画像データＮＢＤｎを縦方向に２分割する位置に破線等で示した境界線が、結合画像データＮＢＤｎに合成される（Ｓ５５５）。Ｓ５５４及びＳ５５５で合成された結合画像データＮＢＤｎは、結合画像番号情報ＩＮｎと「裏面」とが関連付けられて結合画像メモリ１３８に記憶される。
【０１１５】
Ｓ５３８の判断の結果、小画像番号Ｃｎが奇数であると判断された場合（Ｓ５３８：ＮＯ）、小画像番号Ｃｎ及び原稿画像数Ｔｎに「１」が加算される（Ｓ５５６）。そして、Ｓ５４２と同様に、表面の小画像データＣＦＤｎに発信者情報３４と原稿画像数Ｔの原稿画像数情報ＩＴｎとが結合される（Ｓ５５８）。
【０１１６】
表面の小画像データＣＦＤｎが時計方向に９０度回転され、回転された小画像データＣＦＤｎが、Ｓ５４４で合成された表面の結合画像データＮＦＤｎの後続部分に配置される（Ｓ５６０）。Ｓ５６０において、回転された小画像データＣＦＤｎは、結合画像メモリ１３８に結合画像番号情報ＩＮｎと「表面」と関連付けられて記憶されている結合画像データＮＦＤｎの後続部分に合成される。本実施形態において、後続部分とは、例えば、図３（Ｂ）の送信画像数情報ＩＳ５の表面の結合画像データＮＦＤ１における下半分である。Ｓ５６０において、２つの表面の小画像データが結合されることにより、１つの表面の結合画像データＮＦＤｎの生成が完了し、結合画像データＮＦＤｎと結合画像番号情報ＩＮｎと「表面」とが関連付けられて結合画像メモリ１３８に記憶される。Ｓ５６０で生成された表面の結合画像データＮＦＤｎが結合画像メモリ１３８に記憶されたときに、結合画像メモリ１３８に記憶済みのＳ５４４及びＳ５４６で合成された表面の結合画像データＮＦＤｎが消去される。
【０１１７】
両面送信フラグメモリ１４２に記憶される両面送信フラグがオンであるか否かが判断され（Ｓ５６４）、両面送信フラグがオフであると判断された場合（Ｓ５６４：ＮＯ）、ステップ処理はＳ５３２へ移行される。
【０１１８】
両面送信フラグがオンであると判断された場合（Ｓ５６４：ＹＥＳ）、原稿画像数Ｔｎに「１」が加算される（Ｓ５６６）。そして、Ｓ５４２と同様に、裏面の小画像データＣＢＤｎに発信者情報と原稿画像数Ｔｎの原稿画像数情報ＩＴｎとが結合される（Ｓ５６８）。
【０１１９】
Ｓ５６０と同様にして、裏面の小画像データＣＢＤｎが反時計方向に９０度回転され、回転された小画像データＣＢＤｎが、Ｓ５５４で合成された裏面の結合画像データＮＢＤｎの後続部分に配置される（Ｓ５７０）。Ｓ５７０において、回転された小画像データＣＢＤｎは、結合画像メモリ１３８に結合画像番号情報ＩＮｎと「裏面」と関連付けられて記憶されている結合画像データＮＢＤｎの後続部分に合成される。Ｓ５７０において、２つの裏面の小画像データが結合されることにより、裏面の結合画像データＮＢＤｎの生成が完了し、結合画像データＮＢＤｎと結合画像番号情報ＩＮｎと「裏面」とが関連付けられて結合画像メモリ１３８に記憶される。Ｓ５７０で生成された裏面の結合画像データＮＢＤｎが結合画像メモリ１３８に記憶されたときに、結合画像メモリ１３８に記憶済みのＳ５５４で合成された裏面の結合画像データＮＢＤｎが消去される。
【０１２０】
Ｓ５７４において、結合画像データがあるか否か、すなわち、結合画像メモリ１３８に画像データが記憶されているか否かが判断される。本実施形態では、Ｓ５６０及びＳ５７０で小画像データ２つが結合された結合画像データＮＦＤｎ、ＮＢＤｎはなく、Ｓ５４４及びＳ５５４で小画像データ１つが配置された結合画像データＮＦＤｎ、ＮＢＤｎが結合画像メモリ１３８に記憶されている場合は、Ｓ５７４において結合画像データありと判断することとする。Ｓ５７４において、Ｓ５２０及びＳ５３０における相手側装置２００へのＦＡＸ送信が完了されていない場合、ＦＡＸ送信が完了されるまでステップ処理は次の処理へ移行されないこととする。
【０１２１】
Ｓ５７４の判断の結果、結合画像データがないと判断された場合（Ｓ５７４：ＮＯ）、相手側装置２００へのＦＡＸ送信が終了され（Ｓ５７６）、本処理が終了される。Ｓ５７６では、閉結中の電話回線を開放することを表す信号が相手側装置２００へ送信され、電話回線が開放される。
【０１２２】
Ｓ５７４の判断の結果、結合画像データがあると判断された場合（Ｓ５７６：ＹＥＳ）、ステップ処理は図６に示すＳ５７８へ移行され、小画像番号メモリ１３９に記憶される小画像番号Ｃｎが偶数であるか否かが判断される。判断の結果、小画像番号Ｃｎが偶数であると判断された場合（Ｓ５７８：ＹＥＳ）、ステップ処理はＳ５８２へ移行される。
【０１２３】
Ｓ５７８の判断の結果、小画像番号Ｃｎが奇数であると判断された場合（Ｓ５７８：ＮＯ）、すなわち、Ｓ５４４及びＳ５５４で回転処理済みの小画像データ１つが配置された結合画像データＮＦＤｎ、ＮＢＤｎが存在する場合、ページ構成を示すページ構成画像データＰＧが生成される。そして、回転処理済みの小画像データ１つが配置された結合画像データＮＦＤｎ、ＮＢＤｎのうち、小画像データの配置されていない後続部分に、ページ構成画像データＰＧが配置される（Ｓ５８０）。
【０１２４】
ページ構成画像データＰＧは、図３（Ｃ）に示すように、相手側装置２００へ送信される各画像データの送信順序と、読取原稿情報とが対応付けて示された画像データである。各画像データの送信順序は、各画像データに対応する送信原稿数情報ＩＳｎである。読取原稿情報は、読取原稿番号Ｄｎと、表面及び裏面を識別する識別情報とから構成される情報である。本実施形態において、表面及び裏面を識別する識別情報は、表面を示す「表」または裏面を示す「裏」で示され、例えば、図３（Ｃ）に示す「１表」等である。図３（Ｃ）に示すページ構成画像データＰＧは、図３（Ｂ）に示す送信原稿数情報ＩＳ７の結合画像データＮＦＤ２に結合される。また、結合画像データに配置された小画像データが両面原稿に基づく画像データである場合は、両面原稿に基づく小画像データが配置された表面の結合画像データＮＦＤｎ及び裏面の結合画像データＮＢＤｎのうち少なくとも一方に、ページ構成画像データＰＧが配置されればよい。
【０１２５】
結合画像番号Ｎｎが「０」にされ（Ｓ５８２）、送信画像数Ｓｎ及び結合画像番号Ｎｎにそれぞれ「１」が加算される（Ｓ５８２）。次に、Ｓ５１８と同様にして、結合画像番号情報ＩＮｎの表面の結合画像データＮＦＤｎが相手側装置２００へ送信される（Ｓ５８６）。そして、ページ数として送信画像数情報ＩＳｎ、及び、ページ情報「表」が相手側装置２００へ送信される（Ｓ５８８）。Ｓ５８８で相手側装置２００へ送信されるページ数は、図３（Ｃ）に示すページ構成画像データＰＧの送信順序に相当し、ページ情報は、読取原稿情報に含まれる表面及び裏面を識別する識別情報に相当する。
【０１２６】
両面送信フラグメモリ１４２に記憶される両面送信フラグがオンであるか否かが判断され（Ｓ５９０）、両面送信フラグがオフであると判断された場合（Ｓ５９０：ＮＯ）、ステップ処理はＳ５９８へ移行される。
【０１２７】
両面送信フラグがオンであると判断された場合（Ｓ５９０：ＹＥＳ）、送信画像数Ｓｎに「１」が加算され（Ｓ５９２）、Ｓ５１８と同様にして、結合画像番号情報ＩＮｎの裏面の結合画像データＮＢＤｎが相手側装置２００へ送信される（Ｓ５９４）。そして、ページ数として送信画像数情報ＩＳｎ、及び、ページ情報「裏」が相手側装置２００へ送信される（Ｓ５９６）。Ｓ５９６で相手側装置２００へ送信されるページ数は、図３（Ｃ）に示すページ構成画像データＰＧの送信順序に相当し、ページ情報は、読取原稿情報に含まれる表面及び裏面を識別する識別情報に相当する。
【０１２８】
結合画像メモリ１３８に記憶されている結合画像データは、Ｓ５８８及びＳ５９６で相手側装置２００へ送信されたときに、結合画像メモリ１３８から消去される。
【０１２９】
Ｓ５９８において、次の結合画像データがあるか否か、すなわち、結合画像メモリ１３８に記憶された結合画像データＮＦＤｎ、ＮＢＤｎがあるか否かが判断される。本実施形態では小画像データ２つが結合された結合画像データＮＦＤｎ、ＮＢＤｎは記憶されていないが、Ｓ５４４及びＳ５５４で小画像データ１つが配置された結合画像データＮＦＤｎ、ＮＢＤｎが結合画像メモリ１３８に記憶されている場合は、Ｓ５９８において次の結合画像データありと判断することとする。次の結合画像データＮＦＤｎ、ＮＢＤｎがないと判断された場合（Ｓ５９８：ＮＯ）、ステップ処理はＳ５７６へ移行される。次の結合画像データＮＦＤｎ、ＮＢＤｎがあると判断された場合（Ｓ５９８：ＹＥＳ）、ステップ処理はＳ５８４へ移行される。
【０１３０】
ここで、図３（Ａ）に示す原稿群を例として、図５及び図６に示す結合画像ＦＡＸ送信処理について具体的に説明する。図３（Ａ）において、矢印上下で示す方向を上下方向とする。図３（Ｂ）は、図３（Ａ）に示す原稿群について相手側装置２００へ送信された画像データを示し、矢印左右で示す方向を左右方向とし、矢印上下で示す方向を上下方向とする。図３（Ｂ）において、画像データ及び結合画像データの上下方向は、図３（Ｂ）に示す上下方向に相当する。また、小画像データＣＦＤ１、ＣＢＤ２、ＣＦＤ３の上方向は、図３（Ｂ）に示す左方向に相当し、小画像データＣＦＤ２、ＣＢＤ１、ＣＢＤ３及びページ構成画像データＰＧの上方向は、図３（Ｂ）に示す右方向に相当する。
【０１３１】
図３（Ｂ）において、矩形で示された画像データの中に記された「１表画像データ」の文字列は、「読取原稿番号「１」の原稿の表面の画像データ」を示す。図３（Ｂ）に示す結合画像データＮＦＤ１、ＮＢＤ１、ＮＦＤ２、ＮＢＤ２に記された破線は境界線３８である。図３（Ｂ）に示す画像データ及び結合画像データに記された文字列「ＡＡＡ」は、発信者情報３４の一例を示し、発信者情報３４の右側に記された数字は、原稿画像数情報ＩＴ１〜ＩＴ１０を示す。
【０１３２】
図３（Ａ）に示す原稿群は、５枚の両面原稿Ｐ１〜Ｐ５で構成されており、読取原稿番号情報ＩＤ１の原稿Ｐ１がＡ３サイズ、読取原稿番号情報ＩＤ２の原稿Ｐ２がＡ４サイズ、読取原稿番号情ＩＤ３の原稿Ｐ３がＡ３サイズ、読取原稿番号情報ＩＤ４の原稿Ｐ４がＡ４サイズ、読取原稿番号情報ＩＤ５の原稿Ｐ５がＡ４サイズとなっている。本実施形態において、図４に示すＳ４０２で、各両面原稿の表面及び裏面それぞれについて、原稿サイズに応じた画像サイズの画像データが生成されて原稿画像メモリ１３５に記憶されている。また、Ｓ４０６で図３（Ａ）に示す原稿群の最大サイズである「Ａ３サイズ」が検出される。
【０１３３】
本実施形態において、Ｓ４１０で受信した相手側装置２００の送受信機能の能力は、相手側装置２００で記録可能な最大用紙サイズをＡ３サイズ、及び、両面原稿の画像データの受信可能であるとし、Ｓ５００でユーザにより両面送信する旨の入力が受け付けられることとする。
【０１３４】
まず、本実施形態において、相手側装置２００は両面原稿の画像データの受信可能であるので、相手側装置２００へ両面送信するか否かを選択させる旨が表示部１６に表示される。そして、ユーザによる両面送信する旨の入力が受け付けられることにより、両面送信フラグメモリ１４２に記憶される両面送信フラグがオンになる（図５に示すＳ５００：ＹＥＳ）。
【０１３５】
相手側装置２００へ「記録サイズ：Ａ３サイズ、両面送信あり」を示す情報が送信され（Ｓ５０２）、その後、Ｓ５０６が実行される。
【０１３６】
Ｓ５０８で読取原稿番号Ｄｎが「１」となる。すなわち、読取原稿番号ＤｎがＤ１となり、読取原稿番号Ｄ１に対応する原稿Ｐ１の原稿サイズはＡ３サイズであるため、Ｓ５１０において、最大サイズであるＡ３サイズ以上と判断される（Ｓ５１０：ＹＥＳ）。Ｓ５１４において、原稿画像数Ｔｎ及び送信画像数Ｓｎが「１」となる。すなわち、原稿画像数Ｔ１及び送信画像数Ｓ１となる。
【０１３７】
読取原稿Ｄ１の表面の画像データＤＦ１の先端部分に発信者情報３４と原稿画像数Ｔ１である「１」の原稿画像数情報ＩＴ１とが結合され（Ｓ５１６）、画像データＤＦ１を相手側装置２００へ送信する動作が開始される（Ｓ５１８）。そして、ページ数として送信画像数情報ＩＳ１により示される「１」及びページ情報「表」が相手側装置２００へ送信される（Ｓ５２０）。Ｓ５２０で送信されたページ数「１」及びページ情報「表」は、図３（Ｃ）に示すページ構成画像データＰＧにおける送信順序「１」及び送信順序「１」に対応する読取原稿情報「１表」に含まれる識別情報「表」に相当する。
【０１３８】
両面送信フラグはオンであるため（Ｓ５２２：ＹＥＳ）、Ｓ５２４で原稿画像数Ｔｎ及び送信画像数Ｓｎが「２」となる。すなわち、原稿画像数Ｔ２及び送信画像数Ｓ２となり、読取原稿Ｄ１の裏面の画像データＤＢ１に発信者情報３４と原稿画像数Ｔ２である「２」の原稿画像数情報ＩＴ２とが結合される（Ｓ５２６）。そして、画像データＤＢ２の相手側装置２００への送信が開始され（Ｓ５２８）、ページ数として送信画像数情報ＩＳ２により示される「２」及びページ情報「裏」が相手側装置２００へ送信される（Ｓ５３０）。Ｓ５３０で送信されたページ数「２」及びページ情報「裏」は、図３（Ｃ）に示すページ構成画像データＰＧにおける送信順序「２」及び送信順序「２」に対応する読取原稿情報「１裏」に含まれる識別情報「裏」に相当する。
【０１３９】
原稿Ｐ２〜Ｐ５の画像データは未処理であるため、Ｓ５３２で次の原稿ありと判断され（Ｓ５３２：ＹＥＳ）、Ｓ５０８で読取原稿番号Ｄｎが「２」すなわち、Ｄ２となる。
【０１４０】
Ｓ５１０及びＳ５３４において、読取原稿番号Ｄ２に対応する原稿Ｐ２の原稿サイズであるＡ４サイズは、最大サイズであるＡ３サイズの半分であるため（Ｓ５１０：ＮＯ、Ｓ５３４：ＹＥＳ）、ステップ処理はＳ５３６へ移行される。原稿Ｐ２の原稿サイズの横幅は最大サイズの横幅の半分であるため、Ｓ５３６でサイズ変換が行われずにステップ処理はＳ５３８へ移行される。
【０１４１】
Ｓ５３８において、小画像番号Ｃｎは「０」、すなわち偶数であるので（Ｓ５３８：ＹＥＳ）、ステップ処理はＳ５４０へ移行され、小画像番号Ｃｎ及び結合画像番号Ｎｎが「１」となり、原稿画像数Ｔｎが「３」となる（Ｓ５４０）。すなわち、小画像番号Ｃ１、結合画像番号Ｎ１、原稿画像数Ｔ３となる。
【０１４２】
小画像番号Ｃ１の表面の小画像データＣＦＤ１の先端部分に発信者情報３４と原稿画像数Ｔ３である「３」の原稿画像数情報ＩＴ３とが結合される（Ｓ５４２）。次に、表面の小画像データＣＦＤ１が反時計方向に９０度回転され、回転された小画像データＣＦＤ１が表面の結合画像データＮＦＤ１の先行部分に合成される（Ｓ５４４）。そして、結合画像番号Ｎ１の表面の結合画像データＮＦＤ１に境界線３８が合成される（Ｓ５４６）。合成された結合画像データＮＦＤ１は、結合画像番号情報ＩＮ１と「表面」と関連付けられて結合画像メモリ１３８に記憶される。
【０１４３】
両面送信フラグはオンであるため（Ｓ５４８：ＹＥＳ）、Ｓ５５０で原稿画像数Ｔｎが「４」となる。すなわち、原稿画像数Ｔ４となり、小画像番号Ｃ１の裏面の小画像データＣＢＤ１に発信者情報３４と原稿画像数Ｔ４である「４」の原稿画像数情報ＩＴ４とが結合される（Ｓ５５２）。そして、裏面の小画像データＣＢＤ１が時計方向に９０度回転され、回転された小画像データＣＢＤ１が結合画像番号Ｎ１の裏面の結合画像データＮＢＤ１の先行部分に合成される（Ｓ５５４）。そして、裏面の結合画像データＮＢＤ１に境界線３８が合成される（Ｓ５５５）。合成された結合画像データＮＢＤ１は、結合画像番号情報ＩＮ１と「裏面」と関連付けられて結合画像メモリ１３８に記憶される。
【０１４４】
原稿Ｐ３〜Ｐ５の画像データは未処理であるため、Ｓ５３２で次の原稿ありと判断され（Ｓ５３２：ＹＥＳ）、Ｓ５０８で読取原稿番号Ｄｎが「３」、すなわちＤ３となる。
【０１４５】
Ｓ５１０において、読取原稿番号Ｄ３に対応する原稿Ｐ３の原稿サイズであるＡ３サイズは、最大サイズであるＡ３サイズ以上と判断され（Ｓ５１０：ＹＥＳ）、原稿Ｐ１の画像データの場合と同様に、Ｓ５１４において、原稿画像数Ｔｎが「５」、送信画像数Ｓｎが「３」となる。すなわち、原稿画像数Ｔ５、送信画像数Ｓ３となる。
【０１４６】
読取原稿Ｄ３の表面の画像データＤＦ３の先端部分に発信者情報３４と原稿画像数Ｔ５である「５」の原稿画像数情報ＩＴ５とが結合され（Ｓ５１６）、画像データＤＦ３の相手側装置２００への送信が開始される（Ｓ５１８）。そして、ページ数として送信画像数情報ＩＳ３により示される「３」及びページ情報「表」が相手側装置２００へ送信される（Ｓ５２０）。Ｓ５２０で送信されたページ数「３」及びページ情報「表」は、図３（Ｃ）に示すページ構成画像データＰＧにおける送信順序「３」及び送信順序「３」に対応する読取原稿情報「３表」に含まれる識別情報「表」に相当する。
【０１４７】
両面送信フラグはオンであるため（Ｓ５２２：ＹＥＳ）、Ｓ５２４で原稿画像数Ｔｎが「６」、送信画像数Ｓｎが「４」となる。すなわち、原稿画像数Ｔ６、送信画像数Ｓ４となり、読取原稿Ｄ３の裏面の画像データＤＢ３に発信者情報３４と原稿画像数Ｔ６である「６」の原稿画像数情報ＩＴ６とが結合される（Ｓ５２６）。そして、画像データＤＢ３の相手側装置２００への送信が開始され（Ｓ５２８）、ページ数として送信画像数情報ＩＳ４により示される「４」及びページ情報「裏」が相手側装置２００へ送信される（Ｓ５３０）。Ｓ５３０で送信されたページ数「４」及びページ情報「裏」は、図３（Ｃ）に示すページ構成画像データＰＧにおける送信順序「４」及び送信順序「４」に対応する読取原稿情報「３裏」に含まれる識別情報「裏」に相当する。
【０１４８】
原稿Ｐ４、Ｐ５の画像データは未処理であるため、Ｓ５３２で次の原稿ありと判断され（Ｓ５３２：ＹＥＳ）、Ｓ５０８で読取原稿番号Ｄが「４」、すなわちＤ４となる。
【０１４９】
Ｓ５１０及びＳ５３４において、読取原稿番号Ｄ４に対応する原稿Ｐ４の原稿サイズであるＡ４サイズは、最大サイズであるＡ３サイズの半分であるため（Ｓ５１０：ＮＯ、Ｓ５３４：ＹＥＳ）、ステップ処理はＳ５３６へ移行される。Ｓ５３６において、原稿Ｐ２の画像データの場合と同様に、サイズ変換が行われずにステップ処理はＳ５３８へ移行される。
【０１５０】
Ｓ５３８において、小画像番号Ｃｎは「１」、すなわち奇数であるので（Ｓ５３８：ＮＯ）、ステップ処理はＳ５５６へ移行され、Ｓ５５６において、小画像番号Ｃｎが「２」となり、原稿画像数Ｔｎが「７」となる。すなわち、小画像番号Ｃ２、原稿画像数Ｔ７となる。
【０１５１】
小画像番号Ｃ２の表面の小画像データＣＦＤ２の先端部分に発信者情報３４と原稿画像数Ｔ７である「７」の原稿画像数情報ＩＴ７とが結合される（Ｓ５５８）。次に、表面の小画像データＣＦＤ２が時計方向に９０度回転され、回転された小画像データＣＦＤ２が表面の結合画像データＮＦＤ１の後続部分に合成される（Ｓ５６０）。Ｓ５６０において、２つの表面の小画像データＣＦＤ１、ＣＦＤ２が結合されることにより、表面の結合画像データＮＦＤ１の生成が完了される。生成された表面の結合画像データＮＦＤ１は、結合画像番号情報ＩＮ１と「表面」とが関連付けられて結合画像メモリ１３８に記憶される。Ｓ５６０で結合画像データＮＦＤ１が結合画像メモリ１３８に記憶されたときに、結合画像メモリ１３８に記憶済みのＳ５４４で合成された結合画像データＮＦＤ１が消去される。
【０１５２】
両面送信フラグはオンであるため（Ｓ５６４：ＹＥＳ）、Ｓ５６６で原稿画像数Ｔｎが「８」となる。すなわち、原稿画像数Ｔ８となり、小画像番号Ｃ２の裏面の小画像データＣＢＤ２に発信者情報３４と原稿画像数Ｔ８である「８」の原稿画像数情報ＩＴ８とが結合される（Ｓ５６８）。そして、裏面の小画像データＣＢＤ２が反時計方向に９０度回転され、回転された小画像データＣＢＤ２が裏面の結合画像データＮＢＤ１の後続部分に合成される（Ｓ５７０）。Ｓ５７０において、２つの裏面の小画像データＣＢＤ１、ＣＢＤ２が結合されることにより、裏面の結合画像データＮＢＤ１の生成が完了される。生成された裏面の結合画像データＮＢＤ１は、結合画像番号情報ＩＮ１と「裏面」とが関連付けられて結合画像メモリ１３８に記憶される。Ｓ５７０で結合画像データＮＢＤ１が結合画像メモリ１３８に記憶されたときに、結合画像メモリ１３８に記憶済みのＳ５５４で合成された結合画像データＮＢＤ１が消去される。
【０１５３】
原稿Ｐ５の画像データは未処理であるため、Ｓ５３２で次の原稿ありと判断され（Ｓ５３２：ＹＥＳ）、Ｓ５０８で読取原稿番号Ｄの値が「５」、すなわちＤ５となる。
【０１５４】
Ｓ５１０及びＳ５３４において、読取原稿番号Ｄ５に対応する原稿Ｐ５の原稿サイズであるＡ４サイズは、最大サイズであるＡ３サイズの半分であるため（Ｓ５１０：ＮＯ、Ｓ５３４：ＹＥＳ）、ステップ処理はＳ５３６へ移行される。Ｓ５３６において、原稿Ｐ２の画像データの場合と同様に、サイズ変換が行われずにステップ処理はＳ５３８へ移行される。
【０１５５】
Ｓ５３８において、小画像番号Ｃｎは「２」、すなわち偶数であるので（Ｓ５３８：ＹＥＳ）、Ｓ５４０で小画像番号Ｃｎが「３」、結合画像番号Ｎｎが「２」、原稿画像数Ｔｎが「９」となる。すなわち、小画像番号Ｃ３、結合画像番号Ｎ２、原稿画像数Ｔ９となる。
【０１５６】
小画像番号Ｃ３の表面の小画像データＣＦＤ３の先端部分に発信者情報３４と原稿画像数Ｔ９である「９」の原稿画像数情報ＩＴ９とが結合される（Ｓ５４２）。次に、表面の小画像データＣＦＤ３が反時計方向に９０度回転され、回転された小画像データＣＦＤ３が結合画像番号Ｎ２の表面の結合画像データＮＦＤ２の先行部分に合成される（Ｓ５４４）。そして、表面の結合画像データＮＦＤ２に境界線３８が合成される（Ｓ５４６）。合成された結合画像データＮＦＤ２は、結合画像番号情報ＩＮ２と「表面」と関連付けられて結合画像メモリ１３８に記憶される。
【０１５７】
両面送信フラグはオンであるため（Ｓ５４８：ＹＥＳ）、Ｓ５５０で原稿画像数Ｔｎが「１０」となる。すなわち、原稿画像数Ｔ１０となり、小画像番号Ｃ３の裏面の小画像データＣＢＤ３に発信者情報３４と原稿画像数Ｔ１０である「１０」の原稿画像数情報ＩＴ１０とが結合される（Ｓ５５２）。そして、裏面の小画像データＣＢＤ３が時計方向に９０度回転され、回転された小画像データＣＢＤ３が結合画像番号Ｎ２の裏面の結合画像データＮＢＤ２の先行部分に合成される（Ｓ５５４）。そして、裏面の結合画像データＮＢＤ２に境界線３８が合成される（Ｓ５５５）。合成された結合画像データＮＢＤ２は、結合画像番号情報ＩＮ２と「裏面」と関連付けられて結合画像メモリ１３８に記憶される。
【０１５８】
読取画像メモリ１３５に記憶されている画像データのうち未処理の画像データはないので、Ｓ５３２で次の原稿なしと判断され（Ｓ５３２：ＮＯ）、ステップ処理はＳ５７４へ移行される。結合画像メモリ１３８には、結合画像番号Ｎ１の結合画像データＮＦＤ１、ＮＢＤ１と、結合画像番号Ｎ２の結合画像データＮＦＤ２、ＮＢＤ２が記憶されているので（Ｓ５７４：ＹＥＳ）、ステップ処理は図６に示すＳ５７８へ移行される。
【０１５９】
Ｓ５７８において、小画像番号Ｃｎは「３」、すなわち、奇数であるので（Ｓ５７８：ＮＯ）、ページ構成画像データＰＧが生成され、Ｓ５４４及びＳ５５４で小画像データ１つが配置された結合画像データＮＦＤ２、ＮＢＤ２の後続部分に、図３（Ｃ）に示すページ構成画像データＰＧが配置される（Ｓ５８０）。ページ構成画像データＰＧは、表面の結合画像データＮＦＤ２及び裏面の結合画像データＮＢＤ２の少なくとも一方に配置されればよい。
【０１６０】
結合画像番号Ｎｎが「０」にされ（Ｓ５８２）、Ｓ５８４において、送信画像数Ｓｎが「５」、結合画像番号Ｎｎが「１」となる。すなわち、送信画像数Ｓ５、結合画像番号Ｎ１となる。次に、結合画像番号Ｎ１の表面の結合画像データＮＦＤ１が相手側装置２００へ送信され（Ｓ５８６）、ページ数として送信画像数情報ＩＳ５により示される「５」及びページ情報「表」が相手側装置２００へ送信される（Ｓ５８８）。Ｓ５８８で送信されたページ数「５」及びページ情報「表」は、図３（Ｃ）に示すページ構成画像データＰＧにおける送信順序「５」及び送信順序「５」に対応する読取原稿情報「２表４表」に含まれる識別情報「表」に相当する。
【０１６１】
両面送信フラグはオンであるため（Ｓ５９０：ＹＥＳ）、送信画像数Ｓｎが「６」となる（Ｓ５９２）。すなわち、送信原稿数Ｓ６となり、結合画像番号Ｎ１の裏面の結合画像データＮＢＤ１が相手側装置２００へ送信される（Ｓ５９４）。そして、ページ数として送信画像数情報ＩＳ６により示される「６」及びページ情報「裏」が相手側装置２００へ送信される（Ｓ５９６）。Ｓ５９６で送信されたページ数「６」及びページ情報「裏」は、図３（Ｃ）に示すページ構成画像データＰＧにおける送信順序「６」及び送信順序「６」に対応する読取原稿情報「２裏４裏」に含まれる識別情報「裏」に相当する。
【０１６２】
Ｓ５９８において、結合画像メモリ１３８には結合画像番号情報ＩＮ２の結合画像データＮＦＤ２、ＮＢＤ２が記憶されているので、次の結合画像データがあると判断され（Ｓ５９８：ＹＥＳ）、ステップ処理はＳ５８４へ移行される。
【０１６３】
Ｓ５８４において、送信画像数Ｓｎが「７」、結合画像番号Ｎｎが「２」となる。すなわち、送信画像数Ｓ７、結合画像番号Ｎ２となる。次に、結合画像番号Ｎ２の表面の結合画像データＮＦＤ２が相手側装置２００へ送信され（Ｓ５８６）、ページ数として送信画像数情報ＩＳ７により示される「７」及びページ情報「表」が相手側装置２００へ送信される（Ｓ５８８）。Ｓ５８８で送信されたページ数「７」及びページ情報「表」は、図３（Ｃ）に示すページ構成画像データＰＧにおける送信順序「７」及び送信順序「７」に対応する読取原稿情報「５表」に含まれる識別情報「表」に相当する。
【０１６４】
両面送信フラグはオンであるため（Ｓ５９０：ＹＥＳ）、送信画像数Ｓｎが「８」となる（Ｓ５９２）。すなわち、送信画像数Ｓ８となり、結合画像番号Ｎ２の裏面の結合画像データＮＢＤ２が相手側装置２００へ送信される（Ｓ５９４）。そして、ページ数として送信画像数情報ＩＳ８により示される「８」及びページ情報「裏」が相手側装置２００へ送信される（Ｓ５９６）。Ｓ５９６で送信されたページ数「８」及びページ情報「裏」は、図３（Ｃ）に示すページ構成画像データＰＧにおける送信順序「８」及び送信順序「８」に対応する読取原稿情報「５裏」に含まれる識別情報「裏」に相当する。
【０１６５】
Ｓ５９８において、結合画像メモリ１３８に記憶されている結合画像データはないので（Ｓ５９８：ＮＯ）、Ｓ５７６で相手側装置２００へのＦＡＸ送信が終了され、本処理が終了される。
【０１６６】
以上より、図３（Ｂ）に示す画像データ及び結合画像データが、結合画像ＦＡＸ送信処理により相手側装置２００へ送信される。
【０１６７】
本実施形態によれば、複数種類の原稿サイズが混在する原稿からなる１つの原稿群を送信する際、相手側装置２００で記録可能な最大用紙サイズが、読み取られた原稿の最大サイズ以上の場合において、最大サイズの半分以下の原稿サイズに応じた画像サイズの複数の小画像データが最大サイズに合わせて結合されて相手側装置２００へ送信される（図５及び図６参照）。例えば、図３（Ａ）に示す原稿群の場合、Ａ４サイズに応じた画像サイズの小画像データがＡ３サイズに合わせて２つずつ結合されて相手側装置２００へ送信される。これにより、原稿サイズの変化に伴う制御設定の変更のための通信を行うことなく相手側装置２００との通信時間を低減することができる。
【０１６８】
最大サイズの半分以下の原稿サイズに応じた画像サイズの複数の小画像データが結合されて結合画像データが生成される（図５参照）。これにより、複数の小画像データを縮小することなく結合した結合画像データを生成して相手側装置２００へ送信することができるので、結合画像データに基づき形成される画像に潰れが生じる可能性を抑制することができる。
【０１６９】
小画像データが検出された場合において（図５に示すＳ５１０：ＮＯ）、検出された小画像データと、検出された小画像データが生成された後に生成される小画像データとが最大サイズに合わせて結合される（図５に示すＳ５３４〜Ｓ５７０参照）。例えば、図３（Ｂ）に示す結合画像データＮＦＤ１のように、小画像データＣＦＤ１と、小画像データＣＦＤ１の生成後に生成された小画像データＣＦＤ２とがＡ３サイズに合わせて結合される。これにより、複数の小画像データを最大サイズに合わせて確実に結合することができる。
【０１７０】
本実施形態における結合画像ＦＡＸ送信処理（図５及び図６参照）は、１つの原稿群に含まれる所定の読取原稿番号の原稿の画像データが相手側装置２００へ送信開始されたとき、または、結合画像データが結合画像メモリ１３８に記憶されたときに、次の読取原稿番号の原稿の画像データについて結合画像ＦＡＸ送信処理が開始される。すなわち、１つの原稿群のうち、結合画像データとして結合されない画像データが送信されている間に結合画像データが生成される。また、結合画像データとして結合されない画像データの相手側装置２００への送信が完了された場合に、結合画像データが相手側装置２００へ送信される（図５に示すＳ５７４参照）。
【０１７１】
例えば、図３（Ａ）に示す原稿群について結合画像ＦＡＸ送信処理が実行される場合、図３（Ｂ）に示すように、画像データＤＦ１、ＤＢ１が相手側装置２００へ送信開始されたときに、送信処理と並行して小画像データＣＦＤ１、ＣＢＤ１について結合画像ＦＡＸ送信処理が開始される。そして、画像データＤＦ３、ＤＢ３が相手側装置２００へ送信開始されたときに、送信処理と並行して小画像データＣＦＤ２、ＣＢＤ２について結合画像ＦＡＸ送信処理が開始される。画像データＤＦ３、ＤＢ３の送信が完了された場合に、結合画像データＮＦＤ１、ＮＢＤ１、ＮＦＤ２、ＮＢＤ２が相手側装置２００へ送信される。これにより、相手側装置２００との通信時間をさらに低減することができる。
【０１７２】
複数の画像データ各々に対して、送信元情報、送信先情報、送信日時情報のうち少なくとも１つからなる発信者情報３４と原稿画像数情報ＩＴｎとが付加される（図３（Ｂ）及び図５に示すＳ５１６、Ｓ５２６、Ｓ５４２、Ｓ５５２、Ｓ５５８、Ｓ５６８参照）。これにより、例えば、相手側装置２００のユーザが、受信した結合画像データを印刷し、小画像データ単位で切断した場合であっても、全ての画像データに発信者情報３４が付加されているため、相手側装置２００のユーザによる原稿の管理を容易にすることができる。さらに、全ての画像データに原稿画像数情報ＩＴｎが付加されているため、原稿の順序を相手側装置２００のユーザに容易に認識させることができる。特に、本実施形態の図３（Ａ）に示す原稿群の場合のように、原稿が読み取られた順に連続していない小画像データが結合されて結合画像データが生成された場合等、原稿の読み取り順に対応して画像データが相手側装置２００へ送信されない場合において、好適である。
【０１７３】
結合画像データを縦方向に２分割する位置、すなわち、結合画像データとして結合された小画像データ間に境界を示す境界線３８が付加される（図３（Ｂ）及び図５に示すＳ５４６、Ｓ５６２参照）。これにより、相手側装置２００のユーザに結合画像データであることを容易に認識させることができる。
【０１７４】
２つの小画像データのうち、一方が時計方向に９０度回転され、他方が反時計方向に９０度回転される（図５に示すＳ５４４及びＳ５６０参照）。そして、回転された２つの小画像データのうち、一方が結合画像データの先行部分に、他方が結合画像データの後続部分に配置されて結合される。これにより、例えば、相手側装置２００のユーザが、受信した結合画像データを印刷し、小画像データ単位で切断した場合において、小画像データにおける切断側が揃うため、相手側装置２００のユーザにとって束ねやすい印刷結果を提供することができる。
【０１７５】
例えば、図３（Ｂ）に示す結合画像データＮＦＤ１は、反時計方向に９０度回転された小画像データＣＦＤ１が結合画像データＮＦＤ１の先行部分に、時計方向に９０度回転された小画像データＣＦＤ２が結合画像データＮＦＤ１の後続部分に配置されている。相手側装置２００のユーザが、図３（Ｂ）に示す結合画像データＮＦＤ１を印刷して、小画像データＣＦＤ１、ＣＦＤ２単位で切断した場合、小画像データＣＦＤ１、ＣＦＤ２における切断側は左側に揃う。
【０１７６】
両面原稿の場合は、反時計方向に９０度回転された表面の小画像データＣＦＤｎが表面の結合画像データＮＦＤｎの先行部分に配置され（図５に示すＳ５４４参照）、時計方向に９０度回転された表面の小画像データＣＦＤｎが表面の結合画像データＮＦＤｎの後続部分に配置されて結合される（Ｓ５６０参照）。また、時計方向に９０度回転された裏面の小画像データＣＢＤｎが裏面の結合画像データＮＢＤｎの先行部分に配置され（Ｓ５５４参照）、反時計方向に９０度回転された裏面の小画像データＣＢＤｎが裏面の結合画像データＮＢＤｎの後続部分に配置されて結合される（図３（Ｂ）及び図５に示すＳ５７０参照）。これにより、例えば、相手側装置２００のユーザが受信した両面結合画像データＮＦＤｎ、ＮＢＤｎを印刷して小画像データＣＦＤｎ、ＣＢＤｎ単位で切断した場合において、小画像データＣＦＤｎ、ＣＢＤｎにおける切断側が左側に揃い、相手側装置２００のユーザに原稿と同じ構成で印刷結果を提供することができる。
【０１７７】
［第２実施形態］
第１実施形態では、１つの原稿群に含まれる原稿の画像データのうち、小画像データが画像データの生成順、すなわち、小画像データに対応する原稿の読取原稿番号が連続しているか否かに関わらず、２つの小画像データが結合された結合画像データが生成されていた。第２実施形態では、１つの原稿群に含まれる原稿の画像データのうち、小画像データに対応する原稿の読取原稿番号が連続しているときに、その読取原稿番号の原稿の２つの小画像データが結合される場合について説明する。なお、以下の説明では、第１実施形態と異なる構成及び動作についてのみ説明し、第１実施形態と同様の構成及び動作については、詳細な説明を省略する。
【０１７８】
＜外観的構成＞
第２実施形態に係るＭＦＰ１の外観的構成について、図７を参照して説明する。以下の説明において、図７に示すＭＦＰ１の手前側を前側とし、矢印左右で示す方向を左右方向とし、矢印前後で示す方向を前後方向とし、矢印上下で示す方向を上下方向とする。
【０１７９】
以下の説明では、第１実施形態と異なる構成についてのみ説明し、第１実施形態と同様の構成である部分については、図１と同じ番号を使用し、詳細な説明は省略する。
【０１８０】
ＭＦＰ１の正面上部に設けられた操作部６は、操作キー１５とＬＣＤ等の表示部１６とから構成されている。操作キー１５は、ＦＡＸ設定画面表示キー１５１、パラメータ設定キー１５２、数字キー１５３、スタートキー１５４、連続結合設定キー１５５等を含んでいる。
【０１８１】
ＦＡＸ設定画面表示キー１５１、パラメータ設定キー１５２、数字キー１５３、スタートキー１５４は、第１実施形態と同様に構成されているため、詳細な説明は省略する。
【０１８２】
連続結合設定キー１５５は、連続結合設定を設定するためのキーである。連続結合設定とは、１つの原稿群に含まれる原稿の画像データのうち、小画像データに対応する原稿の読取原稿番号が連続しているか否かに基づいて、小画像データを結合するか否かを決定するものである。
【０１８３】
表示部１６の構成は、第１実施形態と同様であるため、詳細な説明を省略する。
【０１８４】
＜電気的構成＞
ＭＦＰ１の電気的構成について、図８を参照して説明する。以下の説明では、第１実施形態と異なる構成についてのみ説明し、第１実施形態と同様の構成は、図２と同じ番号を使用し、詳細な説明は省略する。
【０１８５】
ＲＯＭ１２は、ＭＦＰ１で実行される制御プログラム等を格納する書き換え不能なメモリである。ＲＯＭ１２は、本発明の画像通信プログラムを記憶しており、具体的には、図４に示すフローチャートに従うＦＡＸ送信処理、図９及び図１０に示すフローチャートに従う結合画像ＦＡＸ送信処理を実行する各プログラムを記憶している。ＲＯＭ１２は、Ａ４サイズ、Ｂ４サイズ、Ａ３サイズ等の各原稿サイズにおける縦方向及び横方向の長さを記憶している。また、ＲＯＭ１２は、ユーザにより選択可能な画質「標準」、「ファイン（写真）」、「スーパーファイン」と各々対応する解像度とを関連付けて記憶している。
【０１８６】
フラッシュメモリ１４は、書き換え可能な不揮発性のメモリであり、このフラッシュメモリ１４に記憶されたデータは、ＭＦＰ１の電源オフ後も保持される。フラッシュメモリ１４は、送信先登録メモリ１４７と、画質設定メモリ１４８と、連続結合設定メモリ１４９とを有している。
【０１８７】
送信先登録メモリ１４７及び画質設定メモリ１４８は、第１実施形態と同様に構成されているため、詳細な説明は省略する。
【０１８８】
連続結合設定メモリ１４９は、連続結合設定フラグが記憶されるメモリである。連続結合設定フラグは、ユーザによる連続結合設定キー１５５の操作に基づいて、後述する連続結合をするか否かを示すフラグである。連続結合とは、１つの原稿群に含まれる原稿の画像データのうち、小画像データに対応する原稿の読取原稿番号が連続しているときに、その読取原稿番号の原稿の２つの小画像データが結合されることである。例えば、図１１（Ａ）に示す原稿Ｐ１〜Ｐ５では、連続結合が設定されている場合、読取原稿番号情報ＩＤ４の原稿Ｐ４の画像データと読取原稿番号情報ＩＤ５の原稿Ｐ５の画像データとが結合される。
【０１８９】
連続結合設定がオンである場合は、連続結合する旨を示す。一方、連続結合設定がオフの場合は、連続結合しない、すなわち、１つの原稿群に含まれる原稿の画像データのうち、小画像データに対応する原稿の読取原稿番号が連続しているか否かに関わらず、２つの小画像データが結合される旨を示す。つまり、連続結合設定がオフの場合は、第１実施形態と同様な動作が実行される。
【０１９０】
＜実施形態の動作＞
次に、第２実施形態に係るＭＦＰ１の動作について、図４、図９、図１０、及び、図１１（Ａ）〜図１１（Ｃ）を参照して詳細に説明する。なお、図１１（Ａ）に示す原稿群は、図３（Ａ）に示す原稿群と同一である。
【０１９１】
（ＦＡＸ送信処理）
第２実施形態に係るＦＡＸ送信処理は、第１実施形態と同様にして、図４に示すフローチャートに従って実行されるため、詳細な説明を省略する。
【０１９２】
（結合画像ＦＡＸ送信処理）
次に、図９及び図１０を参照して、ＭＦＰ１のＣＰＵ１１により実行される結合画像ＦＡＸ送信処理（図４に示すＳ４１８）について説明する。１つの原稿群に含まれる所定の読取原稿番号の原稿の画像データが相手側装置２００へ送信開始されたとき、または、結合画像データが生成されて結合画像メモリ１３８に記憶されたときに、次の読取原稿番号の原稿の画像データについて、結合画像ＦＡＸ送信処理が開始される。すなわち、１つの原稿群に含まれる所定の読取原稿番号の原稿の画像データについて結合画像ＦＡＸ送信処理が終了されていない場合であっても、相手側装置２００へ送信開始された後、または、生成された結合画像データが結合画像メモリ１３８に記憶された後であれば、次の読取原稿番号の画像データについて、結合画像ＦＡＸ送信処理が並行して開始される。
【０１９３】
本実施形態において、図９に示すＳ９００〜Ｓ９５５の処理は、第１実施形態におけるＳ５００〜Ｓ５５５の処理（図５参照）と同様であるため、詳細な説明を省略する。
【０１９４】
図９に示すＳ９３８において、小画像番号メモリ１３９に記憶される小画像番号Ｃｎが偶数であるか否かが判断され、判断の結果、小画像番号Ｃｎが奇数であると判断された場合（Ｓ９３８：ＮＯ）、連続結合設定があるか否かが判断される（Ｓ９５６）。すなわち、Ｓ９５６において、連続結合メモリ１４８に記憶される連続結合設定フラグがオンであるか否かが判断される。
【０１９５】
Ｓ９５６の判断の結果、連続結合設定なし、すなわち、連続結合設定フラグがオフであると判断された場合（Ｓ９５６：ＮＯ）、ステップ処理はＳ９６０へ移行される。連続結合設定あり、すなわち、連続結合設定フラグがオンであると判断された場合（Ｓ９５６：ＹＥＳ）、読取原稿番号Ｄｎが、小画像番号Ｃｎの小画像データに対応する原稿の読取原稿番号に「１」を加算した値と等しいか否かが判断される（Ｓ９５８）。Ｓ９５８では、読取原稿番号Ｄｎと、回転処理済みの複数の小画像データのうち最後に回転処理された小画像データに対応する原稿の読取原稿番号とが連続しているか否かが判断される。回転処理とは、後述するＳ９４４、Ｓ９５４、Ｓ９６４、または、Ｓ９７４の処理である。
【０１９６】
Ｓ９５８の判断の結果、読取原稿番号Ｄｎが、小画像番号Ｃｎの小画像データに対応する原稿の読取原稿番号に「１」を加算した値と異なる場合（Ｓ９５８：ＮＯ）、小画像番号Ｃｎに「１」が加算され（Ｓ９５９）、ステップ処理はＳ９４０へ移行される。読取原稿番号Ｄｎが、小画像番号Ｃｎの小画像データに対応する原稿の読取原稿番号に「１」を加算した値と等しい場合（Ｓ９５８：ＹＥＳ）、ステップ処理はＳ９６０へ移行される。
【０１９７】
図９に示すＳ９６０〜Ｓ９８０の処理は、第１実施形態におけるＳ５５６〜Ｓ５７６（図５参照）と同様であるため、詳細な説明を省略する。
【０１９８】
Ｓ９７８の判断の結果、結合画像データがあると判断された場合（Ｓ９７８：ＹＥＳ）、図１０に示すＳ９８２へ移行され、回転処理済みの小画像データ１つが配置された結合画像データＮＦＤｎ、ＮＢＤｎがあるか否かが判断される。すなわち、Ｓ９８２において、結合画像メモリ１３８に記憶される画像データのうち、Ｓ９４４及びＳ９５４で小画像データ１つが配置された結合画像データＮＦＤｎ、ＮＢＤｎが存在するか否かが判断される。Ｓ９８２の判断の結果、小画像データ１つが配置された結合画像データＮＦＤｎ、ＮＢＤｎがないと判断された場合（Ｓ９８２：ＮＯ）、ステップ処理はＳ９８８へ移行される。
【０１９９】
Ｓ９８２の判断の結果、小画像データ１つが配置された結合画像データＮＦＤｎ、ＮＢＤｎがあると判断された場合（Ｓ９８２：ＹＥＳ）、ページ構成を示すページ構成画像データＰＧが生成される。そして、小画像データ１つが配置された結合画像データＮＦＤｎ、ＮＢＤｎのうち、小画像データの配置されていない後続部分に、ページ構成画像データＰＧが配置される（Ｓ９８４）。
【０２００】
ページ構成画像データＰＧは、図１１（Ｃ）に示すように、相手側装置２００へ送信される各画像データの送信順序と、読取原稿情報とが対応付けて示された画像データである。各画像データの送信順序は、各画像データに対応する送信原稿数情報ＩＳｎである。読取原稿情報は、読取原稿番号Ｄｎと、表面及び裏面を識別する識別情報とから構成される情報である。本実施形態において、表面及び裏面を識別する識別情報は、表面を示す「表」または裏面を示す「裏」で示され、例えば、図１１（Ｃ）に示す「１表」等である。図１１（Ｃ）に示すページ構成画像データＰＧは、図１１（Ｂ）に示す送信原稿数情報ＩＳ５の結合画像データＮＦＤ１に結合される。
【０２０１】
Ｓ９８４において、小画像データ１つが配置された結合画像データＮＦＤｎ、ＮＢＤｎが複数ある場合は、複数の結合画像データＮＦＤｎ、ＮＢＤｎのうち、少なくとも１つに、ページ構成画像データＰＧが配置されればよい。その結合画像データＮＦＤｎ、ＮＢＤｎに配置された小画像データが両面原稿に基づく画像データである場合は、両面原稿に基づく小画像データが配置された表面の結合画像データＮＦＤｎまたは裏面の結合画像データＮＢＤｎのうち少なくとも一方に、ページ構成画像データＰＧが配置されればよい。例えば、図１１（Ｂ）に示す画像データの場合、両面原稿に基づく小画像データＣＦＤ１、ＣＢＤ１が配置された結合画像データＮＦＤ１、ＮＢＤ１は、それぞれ小画像データＣＦＤ１、ＣＢＤ１が１つ配置された画像データである。Ｓ９８４では、結合画像データＮＦＤ１、ＮＢＤ１の何れか一方の後続部分に、ページ構成画像データＰＧが配置されればよい。
【０２０２】
図１０に示すＳ９８６〜Ｓ１００２の処理は、第１実施形態におけるＳ５８２〜Ｓ５９８（図６参照）と同様であるため、詳細な説明を省略する。
【０２０３】
ここで、図１１（Ａ）に示す原稿群を例として、図９及び図１０に示す結合画像ＦＡＸ送信処理について具体的に説明する。図１１（Ａ）に示す原稿群は、図３（Ａ）に示す原稿群と同一である。図１１（Ａ）において矢印上下で示す方向を上下方向とする。図１１（Ｂ）は、図１１（Ａ）に示す原稿群について相手側装置２００へ送信された画像データを示し、矢印左右で示す方向を左右方向とし、矢印上下で示す方向を上下方向とする。図１１（Ｂ）において、画像データ及び結合画像データの上下方向は、図１１（Ｂ）に示す上下方向に相当する。また、小画像データＣＦＤ１、ＣＦＤ３、ＣＢＤ４の上方向は、図１１（Ｂ）に示す左方向に相当し、小画像データＣＢＤ１、ＣＢＤ３、ＣＦＤ４及びページ構成画像データＰＧの上方向は、図１１（Ｂ）に示す右方向に相当する。
【０２０４】
図１１（Ｂ）において、矩形で示された画像データの中に記された「１表画像データ」の文字列は、「読取原稿番号「１」の原稿の表面の画像データ」を示す。図１１（Ｂ）に示す結合画像データＮＦＤ１、ＮＢＤ１、ＮＦＤ２、ＮＢＤ２に記された破線は境界線３８である。図１１（Ｂ）に示す画像データ及び結合画像データに記された文字列「ＡＡＡ」は、発信者情報３４の一例を示し、発信者情報３４の右側に記された数字は、原稿画像数情報ＩＴ１〜ＩＴ１０を示す。
【０２０５】
図１１（Ａ）に示す原稿群は、図３（Ａ）に示す原稿群と同様に、５枚の両面原稿Ｐ１〜Ｐ５で構成されており、読取原稿番号情報ＩＤＩの原稿Ｐ１がＡ３サイズ、読取原稿番号情報ＩＤ２の原稿Ｐ２がＡ４サイズ、読取原稿番号情報ＩＤ３の原稿Ｐ３がＡ３サイズ、読取原稿番号情報ＩＤ４の原稿Ｐ４がＡ４サイズ、読取原稿番号情報ＩＤ５の原稿Ｐ５がＡ４サイズとなっている。本実施形態において、図４に示すＳ４０２で、各両面原稿の表面及び裏面それぞれについて、原稿サイズに応じた画像サイズの画像データが生成されて原稿画像メモリ１３５に記憶されている。また、Ｓ４０６で図１１（Ａ）に示す原稿群の最大サイズである「Ａ３サイズ」が検出される。
【０２０６】
本実施形態において、Ｓ４１０で受信した相手側装置２００の送受信機能の能力は、相手側装置２００で記録可能な最大用紙サイズをＡ３サイズ、及び、両面原稿の画像データの受信可能であるとし、Ｓ９００でユーザにより両面送信する旨の入力が受け付けられることとする。また、本実施形態において、ユーザによる連続結合設定キー１５５の操作に基づいて、連続結合設定メモリ１４８に記憶される連続結合設定フラグはオンであるとする。
【０２０７】
まず、本実施形態において、相手側装置２００は両面原稿の画像データの受信可能であるので、相手側装置２００へ両面送信するか否かを選択させる旨が表示部１６に表示される。そして、ユーザによる両面送信する旨の入力が受け付けられることにより、両面送信フラグメモリ１４２に記憶される両面送信フラグがオンになる（図９のＳ９００：ＹＥＳ）。
【０２０８】
相手側装置２００へ「記録サイズ：Ａ３サイズ、両面送信あり」を示す情報が送信され（Ｓ９０２）、その後Ｓ５０６が実行される。
【０２０９】
Ｓ９０８で読取原稿Ｄｎが「１」となる。すなわち、読取原稿番号ＤｎがＤ１となり、読取原稿番号Ｄ１に対応する原稿Ｐ１の原稿サイズはＡ３サイズであるため、Ｓ９１０において、最大サイズであるＡ３サイズ以上と判断される（Ｓ９１０：ＹＥＳ）。そして、Ｓ９１４において、原稿画像数Ｔｎ及び送信画像数Ｓｎが「１」となる。すなわち、原稿画像数Ｔ１及び送信画像数Ｓ１となる。
【０２１０】
読取原稿Ｄ１の表面の画像データＤＦ１の先端部分に発信者情報３４と原稿画像数Ｔ１である「１」の原稿画像数情報ＩＴ１とが結合され（Ｓ９１６）、画像データＤＦ１を相手側装置２００へ送信する動作が開始される（Ｓ９１８）。そして、ページ数として送信画像数情報ＩＳ１により示される「１」及びページ情報「表」が相手側装置２００へ送信される（Ｓ９２０）。Ｓ９２０で送信されたページ数「１」及びページ情報「表」は、図１１（Ｃ）に示すページ構成画像データＰＧにおける送信順序「１」及び送信順序「１」に対応する読取原稿情報「１表」に含まれる識別情報「表」に相当する。
【０２１１】
両面送信フラグはオンであるため（Ｓ９２２：ＹＥＳ）、Ｓ９２４で原稿画像数Ｔｎ及び送信画像数Ｓｎが「２」となる。すなわち、原稿画像数Ｔ２及び送信画像数Ｓ２となり、読取原稿Ｄ１の裏面の画像データＤＢ１に発信者情報３４と原稿画像数Ｔ２である「２」の原稿画像数情報ＩＴ２とが結合される（Ｓ９２６）。そして、画像データＤＢ２の相手側装置２００への送信が開始され（Ｓ９２８）、ページ数として送信画像数情報ＩＳ２により示される「２」及びページ情報「裏」が相手側装置２００へ送信される（Ｓ９３０）。Ｓ９３０で送信されたページ数「２」及びページ情報「裏」は、図１１（Ｃ）に示すページ構成画像データＰＧにおける送信順序「２」及び送信順序「２」に対応する読取原稿情報「１裏」に含まれる識別情報「裏」に相当する。
【０２１２】
原稿Ｐ２〜Ｐ５の画像データは未処理であるため、Ｓ９３２で次の原稿ありと判断され（Ｓ９３２：ＹＥＳ）、Ｓ９０８で読取原稿番号Ｄｎが「２」すなわち、Ｄ２となる。
【０２１３】
そして、Ｓ９１０及びＳ９３４において、読取原稿番号Ｄ２に対応する原稿Ｐ２の原稿サイズであるＡ４サイズは、最大サイズであるＡ３サイズの半分であるため（Ｓ９１０：ＮＯ、Ｓ９３４：ＹＥＳ）、ステップ処理はＳ９３６へ移行される。原稿Ｐ２の原稿サイズの横幅は最大サイズの横幅の半分であるため、Ｓ９３６でサイズ変換が行われずにステップ処理はＳ９３８へ移行される。
【０２１４】
Ｓ９３８において、小画像番号Ｃｎは「０」、すなわち偶数であるので（Ｓ９３８：ＹＥＳ）、ステップ処理はＳ９４０へ移行され、小画像番号Ｃｎ及び結合画像番号Ｎｎが「１」となり、原稿画像数Ｔｎが「３」となる（Ｓ９４０）。すなわち、小画像番号Ｃ１、結合画像番号Ｎ１、原稿画像数Ｔ３となる。
【０２１５】
小画像番号Ｃ１の表面の小画像データＣＦＤ１の先端部分に発信者情報３４と原稿画像数Ｔ３である「３」の原稿画像数情報ＩＴ３とが結合される（Ｓ９４２）。次に、表面の小画像データＣＦＤ１が反時計方向に９０度回転され、回転された小画像データＣＦＤ１が結合画像番号Ｎ１の表面の結合画像データＮＦＤ１の先行部分に合成される（Ｓ９４４）。そして、表面の結合画像データＮＦＤ１に境界線３８が合成される（Ｓ９４６）。合成された結合画像データＮＦＤ１は、結合画像番号情報ＩＮ１と「表面」と関連付けられて結合画像メモリ１３８に記憶される。
【０２１６】
両面送信フラグはオンであるため（Ｓ９４８：ＹＥＳ）、Ｓ９５０で原稿画像数Ｔｎが「４」となる。すなわち、原稿画像数Ｔ４となり、小画像番号Ｃ１の裏面の小画像データＣＢＤ１に発信者情報３４と原稿画像数Ｔ４である「４」の原稿画像数情報ＩＴ４とが結合される（Ｓ９５２）。裏面の小画像データＣＢＤ１が時計方向に９０度回転され、回転された小画像データＣＢＤ１が結合画像番号Ｎ１の裏面の結合画像データＮＢＤ１の先行部分に合成される（Ｓ９５４）。そして、裏面の結合画像データＮＢＤ１に境界線３８が合成される（Ｓ９５５）。合成された結合画像データＮＢＤ１は、結合画像番号情報ＩＮ１と「裏面」と関連付けられて結合画像メモリ１３８に記憶される。
【０２１７】
原稿Ｐ３〜Ｐ５の画像データは未処理であるため、Ｓ９３２で次の原稿ありと判断され（Ｓ９３２：ＹＥＳ）、Ｓ９０８で読取原稿番号Ｄｎが「３」、すなわちＤ３となる。
【０２１８】
Ｓ９１０において、読取原稿番号Ｄ３に対応する原稿Ｐ３の原稿サイズであるＡ３サイズは、最大サイズであるＡ３サイズ以上と判断され（Ｓ９１０：ＹＥＳ）、原稿Ｐ１の画像データの場合と同様に、Ｓ９１４において、原稿画像数Ｔｎが「５」、送信画像数Ｓｎが「３」となる。すなわち、原稿画像数Ｔ５、送信画像数Ｓ３となる。
【０２１９】
読取原稿Ｄ３の表面の画像データＤＦ３の先端部分に発信者情報３４と原稿画像数Ｔ５である「５」の原稿画像数情報ＩＴ５とが結合され（Ｓ９１６）、画像データＤＦ３の相手側装置２００への送信が開始される（Ｓ９１８）。そして、ページ数として送信画像数情報ＩＳ３により示される「３」及びページ情報「表」が相手側装置２００へ送信される（Ｓ９２０）。Ｓ９２０で送信されたページ数「３」及びページ情報「表」は、図１１（Ｃ）に示すページ構成画像データＰＧにおける送信順序「３」及び送信順序「３」に対応する読取原稿情報「３表」に含まれる識別情報「表」に相当する。
【０２２０】
両面送信フラグはオンであるため（Ｓ９２２：ＹＥＳ）、Ｓ９２４で原稿画像数Ｔが「６」、送信画像数Ｓが「４」となる。すなわち、原稿画像数Ｔ６、送信画像数Ｓ４となり、読取原稿Ｄ３の裏面の画像データＤＢ３に発信者情報３４と原稿画像数Ｔ６である「６」の原稿画像数情報ＩＴ６とが結合される（Ｓ９２６）。そして、画像データＤＢ３の相手側装置２００への送信が開始され（Ｓ９２８）、ページ数として送信画像数情報ＩＳ４により示される「４」及びページ情報「裏」が相手側装置２００へ送信される（Ｓ９３０）。Ｓ９３０で送信されたページ数「４」及びページ情報「裏」は、図１１（Ｃ）に示すページ構成画像データＰＧにおける送信順序「４」及び送信順序「４」に対応する読取原稿情報「３裏」に含まれる識別情報「裏」に相当する。
【０２２１】
原稿Ｐ４、Ｐ５の画像データは未処理であるため、Ｓ９３２で次の原稿ありと判断され（Ｓ９３２：ＹＥＳ）、Ｓ９０８で読取原稿番号Ｄが「４」、すなわちＤ４となる。
【０２２２】
Ｓ９１０及びＳ９３４において、読取原稿番号Ｄ４に対応する原稿Ｐ４の原稿サイズであるＡ４サイズは、最大サイズであるＡ３サイズの半分であるため（Ｓ９１０：ＮＯ、Ｓ９３４：ＹＥＳ）、ステップ処理はＳ９３６へ移行される。Ｓ９３６において、原稿Ｐ２の画像データＣＦＤ１、ＣＢＤ１の場合と同様に、サイズ変換が行われずにステップ処理はＳ９３８へ移行される。
【０２２３】
Ｓ９３８において、小画像番号Ｃｎは「１」、すなわち奇数であるので（Ｓ９３８：ＮＯ）、連続結合設定があるか否かが判断される（Ｓ９５６）。本実施形態では、連続結合設定フラグはオンであるので、連続結合設定ありと判断され（Ｓ９５６：ＹＥＳ）、ステップ処理はＳ９５８へ移行される。
【０２２４】
読取原稿番号Ｄｎは「４」であり、また、小画像番号Ｃ１の小画像データＣＦＤ１、ＣＢＤ１に対応する原稿Ｐ２の読取原稿番号Ｄｎは「２」であるので、Ｓ９５８において、読取原稿番号Ｄ４である「４」が、原稿Ｐ２の読取原稿番号Ｄ２である「２」に「１」を加算した値「３」と異なると判断される（Ｓ９５８：ＮＯ）。そして、Ｓ９５９において、小画像番号Ｃｎが「２」、すなわちＣ２となり（Ｓ９５９）、ステップ処理はＳ９４０へ移行される。
【０２２５】
Ｓ９４０において、小画像番号Ｃｎが「３」、結合画像番号Ｎｎが「２」、原稿画像数Ｔｎが「７」となる。すなわち、小画像番号Ｃ３、結合画像番号Ｎ２、原稿画像数Ｔ７となり、小画像番号Ｃ３の表面の小画像データＣＦＤ３の先端部分に発信者情報３４と原稿画像数Ｔ７である「７」の原稿画像数情報ＩＴ７とが結合される（Ｓ９４２）。次に、表面の小画像データＣＦＤ３が反時計方向に９０度回転され、回転された小画像データＣＦＤ３が結合画像番号Ｎ２の表面の結合画像データＮＦＤ２の先行部分に合成される（Ｓ９４４）。そして、表面の結合画像データＮＦＤ２に境界線３８が合成される（Ｓ９４６）。合成された結合画像データＮＦＤ２は、結合画像番号情報ＩＮ２と「表面」と関連付けられて結合画像メモリ１３８に記憶される。
【０２２６】
両面送信フラグはオンであるため（Ｓ９４８：ＹＥＳ）、Ｓ９５０で原稿画像数Ｔｎが「８」となる。すなわち、原稿画像数Ｔ８となり、小画像番号Ｃ３の裏面の小画像データＣＢＤ３に発信者情報３４と原稿画像数Ｔ８である「８」の原稿画像数情報ＩＴ８とが結合される（Ｓ９５２）。次に、裏面の小画像データＣＢＤ３が時計方向に９０度回転され、回転された小画像データＣＢＤ３が結合画像番号Ｎ２の裏面の結合画像データＮＢＤ２の先行部分に合成される（Ｓ９５４）。そして、裏面の結合画像データＮＢＤ２に境界線３８が合成される（Ｓ９５５）。合成された結合画像データＮＢＤ２は、結合画像番号情報ＩＮ２と「裏面」と関連付けられて結合画像メモリ１３８に記憶される。
【０２２７】
原稿Ｐ５の画像データは未処理であるため、Ｓ９３２で次の原稿ありと判断され（Ｓ９３２：ＹＥＳ）、Ｓ９０８で読取原稿番号Ｄｎが「５」、すなわちＤ５となる。
【０２２８】
Ｓ９１０及びＳ９３４において、読取原稿番号Ｄ５に対応する原稿Ｐ５の原稿サイズであるＡ４サイズは、最大サイズであるＡ３サイズの半分であるため（Ｓ９１０：ＮＯ、Ｓ９３４：ＹＥＳ）、ステップ処理はＳ９３６へ移行される。Ｓ９３６において、原稿Ｐ２の画像データの場合と同様に、サイズ変換が行われずにステップ処理はＳ９３８へ移行される。
【０２２９】
Ｓ９３８において、小画像番号Ｃｎは「３」、すなわち奇数であるので（Ｓ９３８：ＮＯ）、連続結合設定があるか否かが判断される（Ｓ９５６）。本実施形態では、連続結合設定フラグはオンであるので、連続結合設定ありと判断され（Ｓ９５６：ＹＥＳ）、ステップ処理はＳ９５８へ移行される。
【０２３０】
読取原稿番号Ｄｎは「５」であり、また、小画像番号Ｃ３の小画像データＣＦＤ３、ＣＢＤ３に対応する原稿Ｐ４の読取原稿番号Ｄｎは「４」であるので、Ｓ９５８において、読取原稿番号Ｄ５である「５」が、小画像データＣＦＤ３、ＣＢＤ３に対応する原稿Ｐ４の読取原稿番号Ｄ４である「４」に「１」を加算した値「５」と等しいと判断される（Ｓ９５８：ＹＥＳ）。そして、Ｓ９６０において、小画像番号Ｃｎが「４」となり、原稿画像数Ｔｎが「９」となる。すなわち、小画像番号Ｃ４、原稿画像数Ｔ９となる。
【０２３１】
小画像番号Ｃ４の表面の小画像データＣＦＤ４の先端部分に発信者情報３４と原稿画像数Ｔ９である「９」の原稿画像数情報ＩＴ９とが結合される（Ｓ９６２）。次に、表面の小画像データＣＦＤ４が時計方向に９０度回転され、回転された小画像データＣＦＤ４が表面の結合画像データＮＦＤ２の後続部分に合成される（Ｓ９６４）。Ｓ９６４において、２つの表面の小画像データＣＦＤ３、ＣＦＤ４が結合されることにより、表面の結合画像データＮＦＤ２の生成が完了される。生成された表面の結合画像データＮＦＤ２は、結合画像番号情報ＩＮ２と「表面」とが関連付けられて結合画像メモリ１３８に記憶される。Ｓ９６４で結合画像データＮＦＤ２が結合画像メモリ１３８に記憶されたときに、結合画像メモリ１３８に記憶済みのＳ９４４で合成された結合画像データＮＦＤ２が消去される。
【０２３２】
両面送信フラグはオンであるため（Ｓ９６８：ＹＥＳ）、Ｓ９７０で原稿画像数Ｔｎが「１０」、すなわちＴ１０となり、小画像番号Ｃ４の裏面の小画像データＣＢＤ４に発信者情報３４と原稿画像数Ｔ１０である「１０」の原稿画像数情報ＩＴ１０とが結合される（Ｓ９７２）。そして、裏面の小画像データＣＢＤ４が反時計方向に９０度回転され、回転された小画像データＣＢＤ４が裏面の結合画像データＮＢＤ２の後続部分に合成される（Ｓ９７４）。Ｓ９７４において、２つの裏面の小画像データＣＢＤ３、ＣＢＤ４が結合されることにより、裏面の結合画像データＮＢＤ２の生成が完了される。生成された裏面の結合画像データＮＢＤ２は、結合画像番号情報ＩＮ２と「裏面」とが関連付けられて結合画像メモリ１３８に記憶される。Ｓ９７４で結合画像データＮＢＤ２が結合画像メモリ１３８に記憶されたときに、結合画像メモリ１３８に記憶済みのＳ９５４で合成された結合画像データＮＢＤ２が消去される。
【０２３３】
読取画像メモリ１３５に記憶されている画像データのうち未処理の画像データはないので、Ｓ９３２で次の原稿なしと判断され（Ｓ９３２：ＮＯ）、ステップ処理はＳ９７８へ移行される。結合画像メモリ１３８には、結合画像メモリ１３８には、結合画像番号Ｎ１の結合画像データＮＦＤ１、ＮＢＤ１と、結合画像番号Ｎ２の結合画像データＮＦＤ２、ＮＢＤ２が記憶されているので（Ｓ９７８：ＹＥＳ）、ステップ処理は図１０に示すＳ９８２へ移行される。
【０２３４】
結合画像データＮＦＤ１、ＮＢＤ１は、小画像番号Ｃ１の小画像データＣＦＤ１、ＣＢＤ１それぞれ１つずつが配置されているので、Ｓ９８２において、小画像データ１つが配置された結合画像データがあると判断される（Ｓ９８２：ＹＥＳ）。そして、ページ構成画像データＰＧが生成され、結合画像データＮＦＤ１、ＮＢＤ１の後続部分に、図１１（Ｃ）に示すページ構成画像データＰＧが配置される（Ｓ９８４）。ページ構成画像データＰＧは、表面の結合画像データＮＦＤ１または裏面の結合画像データＮＢＤ１の少なくとも一方に配置されればよい。本実施形態では、図１１（Ｂ）に示すように、結合画像データＮＦＤ１の後続部分に図１１（Ｃ）に示すページ構成画像データＰＧが、最初に生成された小画像番号Ｃ１の表面の小画像データＣＦＤ１と合成される。
【０２３５】
結合画像番号Ｎｎが「０」にされ（Ｓ９８６）、送信画像数Ｓｎが「５」、結合画像番号Ｎｎが「１」となる（Ｓ９８８）。すなわち、送信画像数Ｓ５、結合画像番号Ｎ１となる。次に、結合画像番号Ｎ１の表面の結合画像データＮＦＤ１が相手側装置２００へ送信され（Ｓ９９０）、ページ数として送信画像数情報ＩＳ５により示される「５」及びページ情報「表」が相手側装置２００へ送信される（Ｓ９９２）。Ｓ９９２で送信されたページ数「５」及びページ情報「表」は、図１１（Ｃ）に示すページ構成画像データＰＧにおける送信順序「５」及び送信順序「５」に対応する読取原稿情報「２表」に含まれる識別情報「表」に相当する。
【０２３６】
両面送信フラグはオンであるため（Ｓ９９４：ＹＥＳ）、送信画像数Ｓｎが「６」となる（Ｓ９９６）。すなわち、送信原稿数Ｓ６となり、結合画像番号Ｎ１の裏面の結合画像データＮＢＤ１が相手側装置２００へ送信される（Ｓ９９８）。そして、ページ数として送信画像数情報ＩＳ６により示される「６」及びページ情報「裏」が相手側装置２００へ送信される（Ｓ１０００）。Ｓ１０００で送信されたページ数「６」及びページ情報「裏」は、図１１（Ｃ）に示すページ構成画像データＰＧにおける送信順序「６」及び送信順序「６」に対応する読取原稿情報「２裏」に含まれる識別情報「裏」に相当する。
【０２３７】
Ｓ１００２において、結合画像メモリ１３８には結合画像番号情報ＩＮ２の結合画像データＮＦＤ２、ＮＢＤ２が記憶されているので（Ｓ１００２：ＹＥＳ）、ステップ処理はＳ９８８へ移行される。
【０２３８】
Ｓ９８８において、送信画像数Ｓｎが「７」、結合画像番号Ｎｎが「２」となる。すなわち、送信画像数Ｓ７、結合画像番号Ｎ２となる。次に、結合画像番号Ｎ２の表面の結合画像データＮＦＤ２が相手側装置２００へ送信され（Ｓ９９０）、ページ数として送信画像数情報ＩＳ７により示される「７」及びページ情報「表」が相手側装置２００へ送信される（Ｓ９９２）。Ｓ９９２で送信されたページ数「７」及びページ情報「表」は、図１１（Ｃ）に示すページ構成画像データＰＧにおける送信順序「７」及び送信順序「７」に対応する読取原稿情報「４表５表」に含まれる識別情報「表」に相当する。
【０２３９】
両面送信フラグはオンであるため（Ｓ９９４：ＹＥＳ）、送信画像数Ｓｎが「８」となる（Ｓ９９６）。すなわち、送信画像数Ｓ８となり、結合画像番号Ｎ２の裏面の結合画像データＮＢＤ２が相手側装置２００へ送信される（Ｓ９９８）。そして、ページ数として送信画像数情報ＩＳ８により示される「８」及びページ情報「裏」が相手側装置２００へ送信される（Ｓ１０００）。Ｓ１０００で送信されたページ数「８」及びページ情報「裏」は、図１１（Ｃ）に示すページ構成画像データＰＧにおける送信順序「８」及び送信順序「８」に対応する読取原稿情報「４裏５裏」に含まれる識別情報「裏」に相当する。
【０２４０】
Ｓ１００２において、結合画像メモリ１３８に記憶されている結合画像データはないので（Ｓ１００２：ＮＯ）、Ｓ９８０で相手側装置２００へのＦＡＸ送信が終了され、本処理が終了される。
【０２４１】
以上より、図１１（Ｂ）に示す画像データ及び結合画像データが、結合画像ＦＡＸ送信処理により相手側装置２００へ送信される。
【０２４２】
本実施形態においても、第１実施形態と同様の効果を奏することができる。また、本実施形態においては、１つの原稿群に含まれる原稿の画像データのうち、複数の小画像データが、画像データが生成された順、すなわち、小画像データに対応する原稿の読取原稿番号Ｄｎが連続している場合に、その読取原稿番号Ｄｎの原稿の２つの小画像データが最大サイズに合わせて結合される連続結合設定が設定される。これにより、１つの原稿群における複数枚の原稿の順序を相手側装置の２００のユーザに容易に認識させることができる。
【０２４３】
［変形例］
以上、本発明の実施形態について説明したが、本発明は上記実施形態に限定されるものではなく、本発明の要旨を逸脱しない範囲内で種々の態様を採ることができる。
【０２４４】
第１及び第２実施形態において、図４に示すＳ４０２では、Ｓ４００で読み取られて生成された各原稿の画像データから原稿の四隅の角部の位置が検出される。そして、検出された角部の位置から原稿の四辺の長さが取得され、取得された四辺の長さに合わせて画像データが切り取られることにより、原稿サイズに応じた画像サイズの画像データが生成される。しかしながら、本発明はこれに限定されるものではなく、例えば、ＡＤＦに原稿の縦方向及び横方向の長さの検出が可能なセンサを設け、そのセンサにより検出された縦方向及び横方向の長さに相当する画像サイズの画像データを生成してもよい。
【０２４５】
図４に示すＳ４０４においても、ＡＤＦに原稿の縦方向及び横方向の長さの検出が可能なセンサを設けることにより、原稿の縦方向及び横方向の長さが検出される。そして、ＲＯＭ１２に記憶されたＡ４サイズ等の原稿サイズにおける縦方向及び横方向の長さを参照して、検出された縦方向及び横方向の長さに一致する原稿サイズを検出してもよい。
【０２４６】
第１及び第２実施形態において、原稿サイズメモリ１３１は、読取部２１で読み取られた原稿の原稿サイズが、Ａ３サイズ等の用紙寸法の名称で記憶されている。しかしながら、原稿サイズメモリ１３１に記憶される原稿サイズは、実際の用紙寸法であってもよいし、原稿サイズを識別できるものなら記号でも数値でも何でもよい。
【０２４７】
第１及び第２実施形態では、図３（Ａ）及び図１１（Ａ）に示す原稿群を例として、Ａ３サイズとＡ４サイズの２種類の原稿サイズの原稿が混在した原稿群について結合画像ＦＡＸ送信処理を説明した。しかしながら、本発明において使用可能な原稿群は、例えば、Ａ３サイズ、Ａ４サイズ、及び、Ｂ５サイズの原稿が混在した原稿群のように、３種類以上の原稿サイズの原稿が混在していてもよい。Ａ３サイズ、Ａ４サイズ、及び、Ｂ５サイズの原稿が混在した原稿群の場合、Ａ４サイズ及びＢ５サイズが、最大サイズであるＡ３サイズに合わせて結合された結合画像データが生成される。Ｂ５サイズの原稿の画像データは、図５に示すＳ５３６及び図９に示すＳ９３６において、Ｂ５サイズの原稿の画像データの横幅がＡ３サイズの横幅の半分に相当する大きさになるようにサイズ変換される。
【０２４８】
レターサイズとリーガルサイズとの２種類の原稿サイズが混在した原稿群についても、本発明の結合画像ＦＡＸ送信処理を行うことが可能である。レターサイズの原稿の画像データが、最大サイズであるリーガルサイズの半分のサイズに応じた画像サイズに合わせて縮小されることにより、２つのレターサイズの原稿の画像データがリーガルサイズに応じた画像サイズに合わせて結合される。
【０２４９】
第１及び第２実施形態では、最大サイズの半分以下の原稿サイズに応じた画像サイズの小画像データが結合されている。しかしながら、本発明は、最大サイズより小さい原稿サイズに応じた画像サイズの画像データであれば、最大サイズの半分より大きい原稿サイズに応じた画像サイズの画像データが結合されてもよい。係る場合、最大サイズの半分より大きい原稿サイズに応じた画像サイズの画像データは、最大サイズの半分の原稿サイズに応じた画像サイズに合わせて縮小される。
【０２５０】
第１及び第２実施形態では、反時計方向に９０度回転された表面の小画像データが表面の結合画像データの先行部分に配置され、時計方向に９０度回転された表面の小画像データが表面の結合画像データの後続部分に配置されている（図５に示すＳ５４４、Ｓ５５８、図９示すＳ９４４、Ｓ９６４参照）。また、時計方向に９０度回転された裏面の小画像データが裏面の結合画像データの先行部分に配置され、反時計方向に９０度回転された裏面の小画像データが裏面の結合画像データの後続部分に配置されている（図５に示すＳ５５４、Ｓ５６８、図９示すＳ９５４、Ｓ９７４参照）。しかしながら、本発明はこれに限定されるものではなく、時計方向に９０度回転された表面の小画像データが表面の結合画像データの先行部分に配置され、反時計方向に９０度回転された表面の小画像データが表面の結合画像データの後続部分に配置され、また、反時計方向に９０度回転された裏面の小画像データが裏面の結合画像データの先行部分に配置され、時計方向に９０度回転された裏面の小画像データが裏面の結合画像データの後続部分に配置されてもよい。係る場合、例えば、相手側装置２００のユーザが、受信した結合画像データを印刷し、小画像データ単位で切断したときには、小画像データにおける切断側が右側に揃うこととなる。
【０２５１】
第１及び第２実施形態では、結合画像データとして結合されない画像データが送信される処理（図５に示すＳ５１８、Ｓ５２８、図９に示すＳ９１８、Ｓ９２８参照）と結合画像データが送信される処理（図６に示すＳ５８６、Ｓ５９４、図１０に示すＳ９９０、Ｓ９９６参照）とは、同一のＣＰＵ１１により制御されている。しかしながら、本発明はこれに限定されることなく、ＭＦＰ１にＣＰＵ等の制御手段をもう１つ設け、それぞれ別の制御手段により制御される構成であってもよい。
【０２５２】
第１及び第２実施形態では、図３（Ｂ）及び図１１（Ｂ）に示すように、破線で境界線を示しているが、境界を識別可能なものであれば、例えば、実線、「切り取り」の文字列等、種々の態様を採用することができる。
【０２５３】
第１及び第２実施形態では、図３（Ｂ）及び図１１（Ｂ）に示すように、画像データに原稿画像数情報を合成している。しかしながら、本発明はこれに限定されるものではなく、原稿の読み取られた順序がわかるものであれば、種々の態様を採用することができる。例えば、読取原稿番号情報とページ情報「表」または「裏」とを合成してもよい。
【０２５４】
第１及び第２実施形態では、本発明の画像通信装置としてＭＦＰ１を例にとって説明した。しかしながら、本発明はこれに限定されるものではなく、ファクシミリ送信機能を有するものであれば、例えば、ファクシミリ装置、ＰＣ−ＦＡＸ機能を有するコンピュータ等、種々の態様を採用することができる。ＰＣ−ＦＡＸ機能を有するコンピュータの場合は、例えば、他の装置により読み取られた原稿の画像データを相手側装置２００へ送信する場合に本発明を適用することが可能となる。
【０２５５】
図４に示すフローチャートにおいて、Ｓ４００は本発明の読取手段及び読取ステップ、Ｓ４０２は本発明の画像生成手段及び画像生成ステップ、Ｓ４０６は本発明の最大サイズ取得手段及び最大サイズ取得ステップ、Ｓ４１０は本発明のサイズ取得手段及びサイズ取得ステップ、Ｓ４１２は本発明のサイズ判断手段及びサイズ判断ステップの一例である。
【０２５６】
図５及び図９に示すフローチャートにおいて、Ｓ５３４〜Ｓ５７０及びＳ９３４〜Ｓ９７４は本発明の結合画像生成手段及び結合画像生成ステップ、Ｓ５１８、Ｓ５２８、Ｓ９１８、及び、Ｓ９２８は本発明の第１送信手段及び第１送信ステップ、Ｓ５１０及びＳ９１０は本発明の小画像検出手段、Ｓ５３４及びＳ９３４は本発明の小画像判断手段及び小画像判断ステップに相当する。Ｓ５１６、Ｓ５２６、Ｓ５４２、Ｓ５５２、Ｓ５５８、Ｓ５７０、Ｓ９１６、Ｓ９２６、Ｓ９４２、Ｓ９５２、Ｓ９６２、及び、Ｓ９７２は本発明の付加手段の一例である。Ｓ５４４、Ｓ５５４、Ｓ５６０、Ｓ５７０、Ｓ９４４、Ｓ９５４、Ｓ９６４、及び、Ｓ９７４は本発明の回転手段の一例である。Ｓ５４６、Ｓ５５５、Ｓ９４６、及び、Ｓ９５５は本発明の境界線付加手段の一例である。
【０２５７】
図６及び図１０に示すフローチャートにおいて、Ｓ５８６、Ｓ５９４、Ｓ９９０、及び、Ｓ９９８は本発明の第２送信手段及び第２送信ステップの一例である。
【符号の説明】
【０２５８】
１                            ＭＦＰ
６                            操作部
９                            原稿トレイ
１１                          ＣＰＵ
１２                          ＲＯＭ
１３                          ＲＡＭ
１４                          フラッシュメモリ
１５                          操作キー
２１                          読取部
３０                          画像データ
３２                          結合画像データ
３４                          発信者情報
３６                          原稿画像数情報
３８                          境界線
１００                        電話回線網
１３１                        原稿サイズメモリ
１３２                        最大サイズメモリ
１３３                        読取原稿番号メモリ
１３４                        原稿画像数メモリ
１３５                        原稿画像メモリ
１３６                        相手側能力メモリ
１３７                        結合画像番号メモリ
１３８                        結合画像メモリ
１３９                        小画像数メモリ
１４０                        送信画像数メモリ
１４１                        発信者情報メモリ
１４２                        両面送信フラグメモリ
１４７                        送信先登録メモリ
１４８                        画質設定メモリ
１４９                        連続結合設定メモリ
１５１                        ＦＡＸ設定画面表示キー
１５２                        パラメータ設定キー
１５４                        スタートキー
１５５                        連続結合設定キー
２００                        相手側装置
Ｐ１〜Ｐ５                    原稿
ＰＧ                          ページ画像データ
Ｄｎ、Ｄ１〜Ｄ５              読取原稿番号
ＩＤｎ、ＩＤ１〜ＩＤ５        読取原稿番号情報
Ｃｎ、Ｃ１〜Ｃ５              小画像番号
Ｎｎ、Ｎ１〜Ｎ５              結合画像番号
ＩＮｎ、ＩＮ１、ＩＮ２        結合画像番号情報
Ｔｎ、Ｔ１〜Ｔ５              原稿画像数
ＩＴｎ、ＩＴ１〜ＩＴ５        原稿画像数情報
Ｓｎ、Ｓ１〜Ｓ５              送信画像数
ＩＳｎ、ＩＳ１〜ＩＳ５        送信画像数情報
ＤＦｎ、ＤＦ１、ＤＦ３        表面の画像データ
ＤＢｎ、ＤＢ１、ＤＢ３        裏面の画像データ
ＣＦＤｎ、ＣＦＤ１〜ＣＦＤ４  表面の小画像データ
ＣＢＤｎ、ＣＢＤ１〜ＣＢＤ４  裏面の画像データ
ＮＦＤｎ、ＮＦＤ１、ＮＦＤ２  表面の結合画像データ
ＮＢＤｎ、ＮＢＤ１、ＮＢＤ２  裏面の結合画像データ
【図１】
2011139234.tif 000003
【図２】
2011139234.tif 000004
【図３（Ａ）】
2011139234.tif 000005
【図３（Ｂ）】
2011139234.tif 000006
【図３（Ｃ）】
2011139234.tif 000007
【図４】
2011139234.tif 000008
【図５】
2011139234.tif 000009
【図６】
2011139234.tif 000010
【図７】
2011139234.tif 000011
【図８】
2011139234.tif 000012
【図９】
2011139234.tif 000013
【図１０】
2011139234.tif 000014
【図１１（Ａ）】
2011139234.tif 000015
【図１１（Ｂ）】
2011139234.tif 000016
【図１１（Ｃ）】
2011139234.tif 000017